(57)【要約】子供用訓練用パンツのようなパンツ型吸収性物品は、前側及び後側腰部領域の両側横方向側部を定める横向きに延びる前及び後耳部分を含む。吸収体構造は、少なくとも部分的に延伸可能な外カバーと少なくとも部分的に延伸可能なライナーの間の股部領域に沿って、前側腰部領域から後側腰部領域に、縦方向に延び、吸収体構造は、前及び後耳部分に沿って横向きに延びるウイング部分を含む。横向きに延びるウイング部分は、使用者が横になったり寝た状態にある時、液体を前から後へと移動させるために、延伸可能で吸収性がある。
2006512135.tif 000002
【特許請求の範囲】
【請求項１】
少なくとも部分的に延伸可能な外カバーと少なくとも部分的に延伸可能なライナーとを含む吸収性物品であって、前記吸収性物品は、縦方向及び縦向き端部、横方向及び横方向側部を持ち、前記物品は更に、
第一の縦方向端部に前側腰部領域を、反対側の縦方向端部に後側腰部領域を、前記前側及び後側腰部領域の間に縦方向に延びる股部領域を含み、
前記前側及び後側腰領域の両側の横方向両側部に横向きに延びるエラストマー性前側及び後側耳部分が形成され、前記前側及び後側腰部領域の前記前側及び後側耳部分は少なくとも縦方向に対し横向きに延伸可能であり、
少なくとも部分的に延伸可能な吸収体構造が、前記少なくとも部分的に延伸可能な外カバーと前記少なくとも部分的に延伸可能なライナーとの間に位置しており、前記吸収体構造は、前記前側腰部領域及び前記後側腰部領域の間の前記股領域にほぼ沿って縦方向に延び、前記吸収体構造は更に、中央部分と、前記前側及び後側耳部分に沿って横向きに延びる延伸可能な横向きに延びるウイング部分とを含み、
縦方向中央点における横方向折り曲げ線で前記物品を折り曲げて、前記前側及び後側耳部分の横方向側部を前記物品の側部シームにおいて結合し、前記横向きに延びるウイング部分の縁部が互いに近い位置にあるようにしてパンツ構造が形成されたことを特徴とする吸収性物品。
【請求項２】
前記中央部分及び前記横向きに延びるウイング部分は、隣接していることを特徴とする請求項１に記載の吸収性物品。
【請求項３】
前記中央部分及び前記横向きに延びるウイング部分は、分離しているが互いに近い位置にあることを特徴とする請求項１に記載の吸収性物品。
【請求項４】
前記物品は、前記物品を通るＺ方向を持ち、前記中央部分及び前記横向きに延びるウイング部分は、互いにＺ方向に重なることを特徴とする請求項３に記載の吸収性物品。
【請求項５】
前記中央部分は、比較的高い容量の吸収構造を含み、前記横向きに延びるウイング部分は、前記中央部分の吸収性構造と比較して低い容量の吸収構造を含むことを特徴とする請求項１に記載の吸収性物品。
【請求項６】
前記中央部分は、前記横向きに延びるウイング部分より少なくとも１０％又はそれより大きいグラム吸収容量を持つことを特徴とする請求項５に記載の物品。
【請求項７】
前記中央部分は、比較的低い容量の吸収性材料を含み、前記横向きに延びるウイング部分は、前記中央部分の吸収性材料と比較して高い容量の吸収性材料を含むことを特徴とする請求項１に記載の吸収性物品。
【請求項８】
前記中央部分は、前記横向きに延びるウイング部分の超吸収性材料より少なくとも１０％小さいグラム吸収力を持つ超吸収性材料を持つことを特徴とする請求項７に記載の物品。
【請求項９】
前記中央部分は、延伸可能であることを特徴とする請求項１に記載の吸収性物品。
【請求項１０】
前記吸収体構造は、１つより多い層を含むことを特徴とする請求項１に記載の吸収性物品。
【請求項１１】
前記物品は、前記部分的に延伸可能な外カバーと前記吸収体構造との間に少なくとも１つの付加的吸収性成分層を含むことを特徴とする請求項１に記載の吸収性物品。
【請求項１２】
前記少なくとも１つの付加的吸収性成分層は、前記吸収体構造より比較的高い容量の吸収体を持つことを特徴とする請求項１１に記載の吸収性物品。
【請求項１３】
前記耳部分は、前記側部シームにおいて接着されて前記パンツ構造を形成していることを特徴とする請求項１に記載の吸収性物品。
【請求項１４】
前記側部シームは、超音波により接着されていることを特徴とする請求項１３に記載の吸収性物品。
【請求項１５】
前記側部シームは、着用者から前記物品を取り外すのに引き裂き可能であることを特徴とする請求項１３に記載の吸収性物品。
【請求項１６】
前記側部シームは、剥離可能で再取り付け可能であることを特徴とする請求項１に記載の吸収性物品。
【請求項１７】
前記再取り付け可能な側部シームは、前記横向きに延びるウイング部分の延長部が上に置かれていることを特徴とする請求項１６に記載の物品。
【請求項１８】
前記再取り付け可能な側部シームは、「ブリッジ」状吸収性材料が上に置かれていることを特徴とする請求項１６に記載の物品。
【請求項１９】
前記側部シームは、水不透過性であることを特徴とする請求項１３に記載の吸収性物品。
【請求項２０】
前記側部シーム接着部は、前記横向きに延びるウイング部分を通してなされることを特徴とする請求項１３に記載の吸収性物品。
【請求項２１】
前記側部シーム接着部は、前記外カバー及び前記ライナーを通してなされることを特徴とする請求項１３に記載の吸収性物品。
【請求項２２】
前記部分的に延伸可能な外カバーは、少なくとも部分的にエラストマー性であること特徴とする請求項１に記載の吸収性物品。
【請求項２３】
前記部分的に延伸可能なライナーは、少なくとも部分的にエラストマー性であることを特徴とする請求項１に記載の吸収性物品。
【請求項２４】
前記横向きに延びるウイング部分はエラストマー性であることを特徴とする請求項１に記載の吸収性物品。
【発明の詳細な説明】
【技術分野】
【０００１】
本発明は、一般的に、構造内に延伸吸収性材料を組み込んだ使い棄てオムツ、子供用訓練用パンツ、失禁用物品、及び同様のものなどの吸収性物品及び衣類の分野に関する。
【背景技術】
【０００２】
使い棄てオムツ、訓練用パンツ、女性用ケアー物品、失禁用物品、及び同様のものなどの多くの型の消費者用製品は、身体からの液体を吸収し、吸い上げるために吸収性パッド構造（保持層）を利用する。吸収性パッドは、従来は、吸収性ウエブ、典型的には、周知の技術により形成された不織繊維性ウエブから形成され、液体透過性表面シートすなわち身体側ライナー層と液体不透過性裏面シートすなわち外カバー層の間に配置される。このような吸収性物品は、身体排出物の漏れを減少し、消費者に改善された適合性を付与するために弾性化された腰部バンド、及び脚部カフを含むことができる。幾つかの従来の吸収性物品は、漏れの発生を更に減少するために、弾性化された収容体又は物品の脚部或いは腰部領域でのバリアーフラップを含むことができる。
【０００３】
子供用訓練用パンツのような従来のパンツ形状の吸収性構造は、衣類臀部領域でのような側部に沿って組み込まれた延伸部分を含む。例えば、ウイスコンシン州、ニーナのＫｉｍｂｅｒｌｙ−Ｃｌａｒｋ  ＣｏｒｐｏｒａｔｉｏｎによるＨＵＧＧＩＥＳ（登録商標）ＰＵＬＬ−ＵＰＳ（登録商標）使い棄て訓練用パンツを参照されたい。訓練用パンツにおけるこのような弾性側部パネルの使用は、例えば、米国特許第４，９４０，４６４号及び米国特許出願ＷＯ０３７００９に記載されており、これらの全体は引用によりここに組み入れられる。このような従来の訓練用パンツは、腰部開口とそれぞれの脚部開口の間に延びる側部シームで結合されたエラストマー性側部パネルを含む。シームは永久的なものとすることができ、物品は下着と同様の方法で着用者に着用される。代替的には、シームは、取り外し可能とすることができ、物品は、使い棄てオムツと同様に着用及び／又は取り外しされることができる。しかしながら、これらの型の形態では、使用者が横になったり寝たりしている時、特に横向きに眠っている時に、漏れが起こることはまれなことではない。従来の吸収性物品では、吸収体層は腹と尻の間の臀部の周囲に延びることはないので、漏れを防ぐのに十分ではなく、これは、着用者が横向きに寝る時、流出した尿が（特に男性の場合）重力により衣類の前部から衣類の側部領域へ直接移動可能となり、究極的に衣類の側部領域に吸収体がない場合は、漏れの原因となる。
【０００４】
したがって、特に訓練用パンツ物品において、使用者が横向きに眠っているか又は寝ているときに起こるかもしれない、臀部領域及びその周りの側部領域での漏れの発生を最小にするような、改善された吸収性パッド構造及び延伸形態についての必要性がある。
【０００５】
【特許文献１】米国特許第４，９４０，４６４号公報
【特許文献２】米国特許出願ＷＯ０３７００９
【特許文献３】米国特許第４，６４０，８１０号公報
【特許文献４】米国特許第４，４９４，２７８号公報
【特許文献５】米国特許第５，５２７，１７１号公報
【特許文献６】米国特許第４，３７５，４４８号公報
【特許文献７】米国特許第３，８４９，２４１号公報
【特許文献８】米国特許第４，９６５，１２２号公報
【特許文献９】米国特許第４，９８１，７４７号公報
【特許文献１０】米国特許第５，２２６，９９２号公報
【特許文献１１】米国特許第５，３３６，５４５号公報
【特許文献１２】米国特許第４，３４０，５６３号公報
【特許文献１３】米国特許第３，６９２，６１８号公報
【特許文献１４】米国特許第３，８０２，８１７号公報
【特許文献１５】米国特許第３，３３８，９９２号公報
【特許文献１６】米国特許第３，３４１，３９４号公報
【特許文献１７】米国特許第３，５０２，７６３号公報
【特許文献１８】米国特許第３，５４２，６１５号公報
【特許文献１９】米国特許第５，２７７，９７６号公報
【特許文献２０】米国特許第５，４６６，４１０号公報
【特許文献２１】米国特許第５，０６９，９７０号公報
【特許文献２２】米国特許第５，０５７，３６８号公報
【特許文献２３】米国特許第４，７２０，４１５号公報
【特許文献２４】米国特許第４，７８９，６９９号公報
【特許文献２５】米国特許第４，７８１，９６６号公報
【特許文献２６】米国特許第４，６５７，８０２号公報
【特許文献２７】米国特許第４，６５５，７６０号公報
【特許文献２８】米国特許第５，３８５，７７５号公報
【特許文献２９】米国特許出願ＵＳ２００２−０１０４６０８
【特許文献３０】米国特許第３，８５５，０４６号公報
【特許文献３１】米国特許第４，３７４，８８８号公報
【特許文献３２】米国特許第５，４８６，１６６号公報
【特許文献３３】米国特許第５，４９０，８４６号公報
【特許文献３４】米国特許第５，８２０，９７３号公報
【特許文献３５】米国特許第６，２３１，５５７号Ｂ１公報
【特許文献３６】国際出願ＷＯ００／３５３９５
【特許文献３７】米国特許第４，７０４，１１６号公報
【特許文献３８】米国特許第５，６０１，５４７号公報
【特許文献３９】米国特許第６，３５８，３５０号Ｂ１公報
【特許文献４０】米国特許第６，３３６，９２１号Ｂ１公報
【特許文献４１】米国特許第５，７１１，８３２号公報
【特許文献４２】米国特許第４，１００，３２４号公報
【特許文献４３】米国特許第５，２８４，７０３号公報
【特許文献４４】米国特許第５，３５０，６２４号公報
【特許文献４５】米国特許第６，３６２，３８９号公報
【特許文献４６】米国特許第５，９６４，７４３号公報
【特許文献４７】米国特許第５，６４５，５４２号公報
【特許文献４８】米国特許第３，８１０，２８０号公報
【発明の開示】
【発明が解決しようとする課題】
【０００６】
一般的に本発明は、着用者が横向きに寝ている時の漏れを防ぐ改善された吸収性物品を提供する。本発明の特に有益な実施形態は、子供用の訓練用パンツである。しかしながら、失禁用物品、使い棄てオムツ、及び同様のものなどの他の吸収性物品も、本発明の範囲及び意図内にある。
【０００７】
パンツ形状吸収性物品は、第一縦方向端部の前側腰部領域、反対側の縦方向端部の後側腰部領域、及び前側と後側腰部領域の間に縦方向に延びる股領域を定めるシャーシを含む。シャーシは、少なくとも表面シート、外カバー、及び中央部分と横向きに延びるウイング部分を含む吸収体構造を含む。シャーシは、その全体を、すべて延伸可能で、望ましくはエラストマー性材料で形成することができ、又は代替的には、延伸可能な又は望ましくはエラストマー性材料で形成された特定の領域又は部分を持つのみとすることができる。いずれにしても、物品が使用者により横になったり又は眠る状態で着用される時、液体を吸収性物品の前側から後側へ移動させるために、このようなシャーシは、少なくとも部分的に延伸可能で望ましくはエラストマー性の外カバー、少なくとも部分的に延伸可能で望ましくはエラストマー性の表面シートすなわちライナー層、及び吸収体構造の横向きに延びるウイング部分に沿って、側部シーム又は再締結可能な／解除可能な及び再取り付け可能な成分のいずれかに近接した／近い位置の側部吸収性及びエラストマー性組み合わせ材料を含む。本質的には、衣類が着用される時、側部エラストマー性と吸収性材料は互いに近い位置にあり、物品の前側から後側に液体が通過するのを可能にする。このような形状は、吸収性物品内にある使用者の身体の大きさが大きくなった場合に、それになじむための延伸性を与えるだけでなく、漏れの防止をも提供する。物品に使用される材料は限定的な要素ではなく、材料及び成分の多くの組み合わせを、本発明による物品の製造に使用できることを認識するべきである。
【０００８】
典型的な訓練用パンツ形態において、横向きに延びる耳部分は、前側及び後側腰部領域の１つ又は双方の両側にある横方向側部により定められる。これらの耳部分は、着用者の前側及び後側腰部の周囲に延び、物品の側部シーム又は再締結可能な成分と交わる。耳部分は又、横向きに内側に向けられた脚部形状を定める。シャーシがパンツ形状物品内に形成される時、耳部分は側部シーム（又は再締結可能な部分）において結合され、脚部形状は、物品の股領域と組み合わせて脚部開口を定める。
【０００９】
前に示したように、吸収体構造は、ほぼ前側腰部領域から後側腰部領域まで股領域に沿って縦方向に伸びる中央部分を持ち、シャーシの前側及び／又は後側耳部分に沿って横向きに延びる、ウイング部分を含む。これらの横向きに延びるウイング部分は、物理的に隣接した中央部分の一部分とすることができる。このような横向きに延びるウイング部分は、中央部分と同様の厚さ又は基本重量とすることができ、或いは代替的には、異なる厚さ又は基本重量とすることもできる。代替的には、横向きに延びるウイング部分は、中央部分に近接した及び近い位置にある物理的に分離した部分であるが、中央部分と液体流通させることができる。代替的実施形態として、吸収体構造の中央部分は、吸収体の横向きに別個に延びるウイング部分の縁部に重なるようにすることができるか、或いは反対に、製品に対してＺ方向に重なることができる。吸収体構造の中央部分は、吸収性物品で使用される従来の吸収性材料のどんな組み合わせも含むことができる。代替的構成として、吸収性及び延伸機能の両方を示す材料で形成することができる。更なる代替的構成として、外カバーに最も近い第一層に従来の高容量の吸収性材料を、表面シートに最も近い第二層に低容量の吸収体を配置し、第二層は延伸機能も又持つものとした、Ｚ方向に層状化された吸収性材料で形成することができる。層状化の利用は、衣類が、延伸機能及び漏れ防止の特定の有益な組み合わせを持つことを可能にする。延伸吸収体に使用されるエラストマー性材料は、吸収性材料と置き換わる。このように、吸収体の弾性特性の増加は、吸収力、取り込み率、又は透過性を減少させることとなる。したがって、ここに説明されるような衣類に使用される延伸吸収体は、幾つかの代替的実施形態において、吸収性及び延伸特性と費用との両立をはかるものであり、これは、層状化によって促進される。
【００１０】
更なる代替的構成において、吸収体中央部分には延伸吸収性材料は存在させず、吸収体構造の横向きに延びるウイング部分が、延伸及び吸収性材料を含むようにすることができる。この構造は、尿又は他の排出物が集中する衣類の前領域で吸収性が高められ、更に衣類の着用性を促進するのに重要な衣類の側部領域で延伸性が高められる点で有益である。
【００１１】
延伸可能な材料及び吸収性材料の混合物の全体的能力は、望ましくは最終的な衣類の形態を決定する時に考慮される。前述した吸収容量の違いは、吸収性材料がエラストマーに置き換わる量が多くなることに起因して生じる使用される実際の吸収性材料の違いか、又は吸収性材料の量の違い、或いはその組合わせのいずれかによるものである。したがって、更に代替的実施形態においては、さまざまな部分での吸収性構造材料は、吸収力に相対的な差異を与えるために、吸収性材料の形式又は吸収性材料の含有量のいずれかを種々異ならせることができる。例えば、代替的実施形態においては、吸収性物品は、中央部分と横向きに延びるウイング部分を含み、中央部分では比較的高い容量の吸収構造を持ち、横向きに延びるウイング部分は中央部分の吸収体構造に比べて低い容量の吸収構造を含むものとする。
【００１２】
更なる代替的実施形態においては、ウイングには比較的高い吸収力を持つ材料を、中央部分には低い吸収力を持つ材料を配置することが望ましい。これは、横方向に延びるウイングにおいて多くの量のエラストマー性材料を吸収性材料に置き換えて使用することを補うために望ましいものである。これは、ウイングの吸収性構造性能を中央部分の性能に近づけることが望まれる場合に、代りとなる構造を提供することになるであろう。
【００１３】
更なる代替的実施形態においては、物品は、横向きに延びる前記ウイング部分の超吸収性材料より少なくとも１０％大きいグラム吸収容量を持つ超吸収性材料を備えた中央部分を持つ。
【００１４】
有益な実施形態においては、吸収性物品構造を含むシャーシの腰部領域の少なくとも前側及び後側耳部分は延伸可能である。例えば、本質的には、ライナー、吸収体構造のすべての部分、及び外カバーを延伸可能として、シャーシ全体を延伸可能とすることができる。更に付加的実施形態においては、シャーシは、吸収体構造の横向きに延びる側部ウイング部分に「ブリッジ」状材料を含むことができ、使用者が横になったり寝た状態の時、物品の前側から後側へ液体を通過させるようにする。このような「ブリッジ」状材料は、有益な液体流通を形成することができ、特定の衣類製品の意図する必要性に応じて、高い又は比較的低い延伸機能程度のいずれかを持つものとすることができる。
【００１５】
付加的代替的実施形態においては、吸収性物品は、様々な型の側部シーム形態を含むことができる。例えば、耳部分を側部シームで接着し、着用者が物品を下着とほとんど同じように引っ張らなければならないようにすることができる。これらの接着されたシームは又、着用者がオムツとほとんど同じようにシームを分離し又は引き裂き、物品を除去することができるように、引き裂き可能とすることができる。代替的実施形態においては、側部シームは、解除可能で更に再取り付け可能とする。例えば、フック・ループ型、又は他の形式の再取り付け可能なシステムを、側部シームに沿って使用することができる。更なる代替的実施形態においては、側部シームは、水不透過性シームを形成するために異なる深さで接着される。
【００１６】
本発明の態様は、図面に示した実施形態を参照して、以下に更に詳細に述べられる。
【発明を実施するための最良の形態】
【００１７】
本発明は、特定の実施形態を参照して、詳細が述べられるであろう。実施形態は本発明の説明のために与えられるもので、本発明を限定する意味はない。例えば、１つの実施形態の部分として述べられている特徴は、別の実施形態において利用し、更に別の実施形態とすることができる。本発明は、本発明の範囲及び意図によって、これら及び他の修正及び変更を含むものである。
【００１８】
（定義）
本発明の説明の内容において、次の用語は以下のような意味を持つことができる。
【００１９】
ここで用いられる「吸収性物品」という用語は、「個人用ケアー製品」と同義であり、オムツ、訓練用パンツ、吸収性下着、大人用失禁用製品、包帯、獣医用、埋葬用、及び女性用ケアー／衛生製品を意味する。
【００２０】
ここで用いられる「吸収性容量」という用語は、ここで示された「飽和容量テスト方法」により計測された飽和容量と同義とする。
【００２１】
「吸収性材料」という用語は、尿、湿分、又は他の身体排出物を吸収し、次いで保持する機能が働く吸収性構造を含む材料を意味する。
【００２２】
「吸収性構造」、「吸収性材料構造」及び「吸収体構造」という用語は、同義的に使用され、吸収性材料を含む物品内の層を意味する。これは又、エラストマー性材料を含むことができる。
【００２３】
ここで用いられる「空気堆積の」という用語は、「空気堆積された」と同じ意味とするもので、繊維性不織層が形成される方法としてよく知られている。空気堆積法では、約６から約１９ミリメートル（ｍｍ）の範囲の典型的な長さを持つ小繊維束が供給空気中で分離され、浮遊され、ついで通常は真空の補助により形成スクリーン上に堆積される。ランダムに堆積された繊維は、例えば、ホットエアー或いはスプレー接着剤を使用して、互いに接着される。本発明の吸収性成分は、空気堆積法を使用して形成することができる。空気堆積された不織複合体の製造は、文献に十分に説明され、当業界でも文章化されている。例として、Ｌａｕｒｓｅｎ他の米国特許第４，６４０，８１０号に記載され、Ｓｃａｎ  Ｗｅｂ  ｏｆ  Ｎｏｒｔｈ  Ａｍｅｒｉｃａ  Ｉｎｃ．に譲渡されたＤａｎＷｅｂ法、Ｋｒｏｙｅｒ他の米国特許第４，４９４，２７８号及びＳｏｅｒｅｎｓｅｎ他の米国特許第５，５２７，１７１号に記載され、Ｎｉｒｏ  Ｓｅｐａｒａｔｉｏｎ  ａ／ｓに譲渡されたＫｒｏｙｅｒ法、Ａｐｐｅｌ他の米国特許第４，３７５，４４８号に記載され、Ｋｉｍｂｅｒｌｙ−Ｃｌａｒｋ  Ｃｏｒｐｏｒａｔｉｏｎに譲渡された方法、その他の同様の方法を含む。前述した特許のそれぞれは、その全体を引用によりここに組み入れる。
【００２４】
「取り付けた」は、２つの要素の、接着、結合、粘着、連結、取り付け又は同様のことを意味する。２つの要素が互いに直接取り付けられる時、又はそれぞれが中間要素に直接取り付けられる時のように、互いに間接的に接着される時、共に取り付けられると考えられる。
【００２５】
ここで用いられる「ボンデッドカーデッドウエブ」という語句は、コーミング又はカーディングのユニットを通って送られた、ステープル繊維から形成されたウエブを意味し、このユニットは、ステープル繊維を分割し、ステープル繊維を機械方向に配列して、全体的に機械方向に方向付けされた繊維性不織ウエブを形成するものである。このような繊維は、通常ベイルの状態で購入され、ピッカー内に配置され、このピッカーが、カーディングユニットの前で繊維を分離する。一旦ウエブが形成されると、幾つかの知られた接着方法の１つ又はそれ以上の方法で接着される。それらの接着方法の１つに、パウダー接着があり、これは、パウダー状接着剤がウエブに分布され、通常熱風でウエブ及び接着剤を加熱することにより活性化される。別の適した接着方法には、パターン接着があり、これは、加熱されたカレンダーロール又は超音波接着装置を使用して、繊維を、ウエブ全体を通して、通常は局部的な接着パターンで互いに接着するものである。望ましい場合には、ウエブはその表面全体にわたって接着することができる。別の適した及び良く知られた接着方法、特に二成分ステープル繊維、あるいは他の接着性繊維を使用するときの接着方法には、通気式接着がある。
【００２６】
ここで及び特許請求で用いられる「含む」という用語は、包括的な又は制限なしという意味であり、付加的な述べられていない要素、複合的成分、又は方法段階を排除するものではない。
【００２７】
「エラストマー」は、少なくとも１つの方向に、弛緩した長さの少なくとも２５％だけ延伸又は伸長でき、更に付与された力が除去された時、その伸びの少なくとも１０％が回復する材料又は複合体を意味する。一般的に、エラストマー性材料又は複合体は、弛緩した長さの少なくとも１００％だけ、より好ましくは少なくとも３００％だけが伸長されることができ、更に約１分以内に延伸力、バイアス力を除去された時、その伸びの少なくとも３０％が、より望ましくは５０％が回復するものであることが好ましい。したがって、エラストマー性材料は、延伸可能、更には「延伸性」として説明することができる。
【００２８】
本申請書の目的にとって、「延伸性」、「延伸可能な」、「伸長可能な」、「伸び可能な」及び「延伸」という用語は、互換的に使用されるもので、バイアス力（例えば、８０から８００グラム／ｃｍのバイアス力）を付与した時、与えられた材料が少なくとも１つの方向にある程度の長さの伸び／伸長又は延伸が可能である材料機能／特性を示すものである。例えば、伸長可能な材料は、少なくとも１つの方向に、少なくとも２５％まで（最初の延伸されていない長さの少なくとも１２５％まで）、適したものとして少なくとも５０％まで（最初の延伸されていない長さの少なくとも１５０％まで）、より適したものとして少なくとも１００％（最初の延伸されていない長さの少なくとも２００％まで）まで破断せずに延伸させることができる。例示として、３インチ（７．６センチメートル）の最初の延伸されていない長さを持つ伸長可能な材料は、少なくとも１つの方向に少なくとも３．７５インチ（９．５センチメートル）の延伸された長さ（「少なくとも２５％が」の値）にまで、破断せずに延伸させることができる。この用語は、弾性／エラストマー性材料と同様に、延伸するが著しく収縮しない（すなわち、延伸され更に緩められた時、十分には回復しない）材料、例えばネック付与された不織材料及びボンデッドカーデッドウエブのような固有に伸長可能な不織材料を含む。ここで示された多くの実施形態は延伸可能な成分を持つが、代替的実施形態においては、このような延伸可能な成分は同様に弾性でエラストマー性であることが望ましい。
【００２９】
「弾性のある」、「弾性化された」は、変形の原因となる力の除去後に元来のサイズ及び形に回復する傾向をもつ材料又は複合体の特性を意味する。
【００３０】
「液体流通」という用語は、製品が望まれるような状態で着用される時、湿分、尿、身体排出物及び同様のものが、ある所から別の所へ移動できるような、２つ又はそれより多い近接した材料又は構造を意味する。この移動を行なわせる力は、毛管現象、引力、身体動作により発生された圧力又は同様のものとすることができる。
【００３１】
「放出」という用語は、身体排出物、特に消費者が吸収性製品を着用している時の尿又は生理液の自然な堆積、並びに吸収性製品のテスト時における擬似身体排出物の堆積を意味する。
【００３２】
「メルトブローン繊維」は、複数の微細な、通常は円形のダイ毛管を通して、溶融状態の熱可塑性材料を、集中する、通常は熱い高速ガス（例えば空気）中に溶融状態の糸又はフィラメントとして押し出し、この高速熱ガスが溶融熱可塑性材料のフィラメントを細くして、その直径を、ミクロ繊維とする直径にまで減少させることにより形成された繊維を意味する。その後、メルトブローン繊維は高速ガス流により運ばれて、集積表面に堆積され、ランダムに分布されたメルトブローン繊維のウエブを形成する。この方法は、例えば、Ｂｕｔｉｎ他の米国特許第３、８４９、２４１号に記載されている。メルトブローン繊維は、連続した又は非連続のミクロ繊維となることができ、一般的に平均直径が１０ミクロンより小さく、集積表面に堆積される時一般的に粘着性である。前述した特許は、その全体が引用によりここに組み入れられる。
【００３３】
ここで用いられる「機械方向」又はＭＤは、製造される方向における布の長さを意味する。「横方向」又は「機械横方向」又はＣＤという用語は、布の幅、すなわちＭＤにほぼ垂直な方向を意味する。
【００３４】
単数で使用される時の「部材」は、単一の要素又は複数の要素を意味することができる。
【００３５】
ここで用いられる「ネック付与した材料」という用語は、例えば、縮ませたり又はギャザー付けなどのような方法により、少なくとも１つの方向に収斂されたあらゆる材料を意味する。
【００３６】
ここで用いられる「ネック付与され得る材料」という用語は、ネック付与されることができるあらゆる材料を意味する。例えば、米国特許第４，９６５，１２２号に記載されており、その全体は引用によりここに組み入れられる。
【００３７】
「ネック付与状態で接着した」積層体は、ネック付与可能な材料を機械方向に伸長させた状態で該ネック付与可能な材料がネック付与されていない部材（弾性部材のような）に接着されて、機械横方向に弾性を持つネック付与された材料を形成することをいう。ネック付与状態で接着した積層体は、米国特許第４，９６５，１２２号、同第４，９８１，７４７号、同第５，２６６，９９２号及び同第５，３３６，５４５号に記載されており、これらは、その全体を引用によりここに組み入れられる。
【００３８】
ここで用いられる「不織ウエブ」という用語は、個々の繊維又は糸が互いに組み合わされているが、編布のような識別可能な形ではない構造を持つウエブを意味する。不織ウエブは、過去において、例えばメルトブローン法、及びボンデッドカーデッドウエブ法などの様々な方法により作られてきた。不織布の基本重量は通常、材料オンス／平方ヤード（ｏｓｙ）又はグラム／平方メートル（ｇｓｍ）で表され、繊維直径は通常、ミクロンで表される。（ｏｓｙからｇｓｍに換算するには、ｏｓｙに３３．９１を掛ける。）
【００３９】
ここで用いられる「ポリマー」という用語は、一般的に、ホモポリマー、例えばブロック、グラフト、ランダム及び交互コポリマーのようなコポリマー、ターポリマー等、及びそれらの混合物並びに変性物を含むが、これらに限定されるものではない。更に特に限定されない限り、「ポリマー」という用語は、分子のあらゆる可能な幾何学的形態を含む。これらの形態は、これに限定するものではないが、アイソタクチック、シンジオタクチック、及びランダム対称を含む。
【００４０】
ここで用いられる「スパンボンド繊維」という用語は、押し出されるフィラメントの直径を持つ、複数の微細な、通常は円形の防止口金の毛管からフィラメントとして溶融熱可塑性材料を押し出し、次いで、例えばＡｐｐｅｌ他の米国特許第４，３４０，５６３号、Ｄｏｒｓｃｈｎｅｒ他の米国特許第３，６９２，６１８号、Ｍａｔｓｕｋｉ他の米国特許第３，８０２，８１７号、Ｋｉｎｎｅｙの米国特許第３，３３８，９９２号及び第３，３４１，３９４号、Ｈａｒｔｍａｎの米国特許第３，５０２，７６３号、及びＤｏｂｏ他の米国特許第３，５４２，６１５号によって急激に大きさを減少させることにより形成される小直径の繊維を意味する。スパンボンド繊維は、集積表面上に堆積されるとき、一般的に粘着性がない。スパンボンド繊維は、ほぼ連続したものであり、７ミクロンより大きい平均直径（少なくとも１０の試料から）を、より特定的には約１０から２０ミクロンの間の平均直径を持つ。繊維は又、Ｈｏｇｌｅ他の米国特許第５，２７７，９７６号、Ｈｉｌｌｓ他の米国特許第５，４６６，４１０号、及びＬａｒｇｍａｎ他の米国特許第５，０６９，９７０号及び第５，０５７，３６８号に記載されているような形状を持つことができ、これら特許は、通常のものではない形状を持つ繊維を示している。前述した特許のそれぞれは、その全体が引用によりここに組み入れられる。
【００４１】
「延伸接着」積層体は、１つの層がギャザー寄せ可能な層で、更にもう１つの層が弾性層である少なくとも２つの層を持つ複合材料を意味する。弾性層が伸びた状態の時に層が結合され、したがって、層が弛緩された状態の時にギャザー寄せ可能な層は、ギャザー寄せされる。例えば１つの弾性部材は、弾性部材が、弛緩されたときの長さの少なくとも約２５％に延ばされた状態で、別の部材と接着することができる。このような多層複合弾性材料は、非弾性層が十分に伸ばされるまで伸長させることができる。延伸接着した積層体の例は、例えば、米国特許第４，７２０，４１５号、第４，７８９，６９９号、第４，７８１，９６６号、第４，６５７，８０２号、第４，６５５，７６０号、第５，３８５，７７５号、及び米国特許出願番号ＵＳ２００２−０１０４６０８に記載されており、その全体は、すべての目的について引用によりここに組み入れられる。
【００４２】
ここで用いられる「超吸収性材料」という用語は、最も好ましい条件の下で、０．９重量％の塩化ナトリウムを含む水性溶液の重量の１０倍より大きい量を、更に望ましくはその重量の約１０から３０倍、又はこれより大きい量を吸収することができる水に膨潤可能で、水に溶けない有機材料又は無機材料を意味する。本発明の超吸収性材料として使用するのに適した有機材料は、アガール、ペクチン、グアルゴム、及び同様のものなどの天然材料、合成ヒドロゲルポリマーのような合成材料も同様に含むことができる。このようなヒドロゲルポリマーは、これらに制限されるものではないが、ポリアクリル酸のアルカリ金属塩、ポリアクリルアミド、ポリビニルアルコール、エチレンマレイン無水物コポリマー、ポリビニルエーテル、ヒドロキシプロピルセルロース、ポリビニルモルフォリン、ポリビニルピロリドン；及びビニルスルフォン酸、ポリアクリル酸塩、ポリアクリルアミド、ポリビニルピリジン、及び同様のもののポリマー及びコポリマーを含む。他の適したポリマーは、加水分解されたアクリロニトリルグラフト澱粉、アクリル酸グラフト澱粉、及びイソブチレンマレイン無水物コポリマー、及びこれらの混合物を含む。上記した材料のコポリマーの組み合わせ及び上記した材料の物理的に混合された組み合わせも含まれることを認識すべきである。これらのヒドロゲルポリマーは、材料を実質的に水に溶けないようにするために、僅かに架橋結合されることが望ましい。例えば、架橋結合は、共有結合、イオン結合、ワンデルワールス結合、又は水素結合によることができる。超吸収性材料は、粒子、繊維、フレーク、球、フィルム、及び同様のものを含む、吸収性複合体に使用するのに適したどんな形状でもよい。
【００４３】
ここで用いられる「熱点接着」という用語は、熱したカレンダーロールとアンビルロールの間を接着させるための繊維の布又はウエブを通過させることを意味する。カレンダーロールは通常、必ずしもそうではないが、布全体が布の表面全体にわたって接着されないような形態にパターン化されており、アンビルロールは通常平坦である。結果として、様々なパターンのカレンダーロールが、美的理由だけでなく機能的理由からも開発されてきた。パターンの１つの例として、点を持ち、Ｈａｎｓｅｎ及びＰｅｎｎｉｎｇｓの米国特許第３，８５５，０４６号に教示されているような、約２００接合点／平方インチで約３０％の接着面積を持つＨａｎｓｅｎ  Ｐｅｎｎｉｎｇｓ又は「Ｈ＆Ｐ」パターンがある。Ｈ＆Ｐパターンは、それぞれのピンの幅が０．０３８インチ（０．９６５ミリメートル）、ピンの間隔が０．０７０インチ（１．７７８ミリメートル）及び接着の深さが０．０２３インチ（０．５８４ミリメートル）である四角の点接着又はピン接着領域を持つ。このパターンでは約２９．５％の接着面積を持つことになる。別の典型的な点接着パターンは、幅０．０３７インチ（０．９４ミリメートル）、ピンの間隔が０．０９７インチ（２．４６４ミリメートル）及び深さ０．０３９インチ（０．９９１ミリメートル）を持つ四角いピンによる１５％の接着面積を製造する拡張Ｈａｎｓｅｎ  Ｐｅｎｎｉｎｇｓ又は「ＥＨＰ」接着パターンがある。「７１４」として登録されている別の典型的点接着パターンは、それぞれのピンの幅が０．０２３インチ、ピンの間隔が０．０６２インチ（１．５７５ミリメートル）及び接着の深さが０．０３３インチ（０．８３８ミリメートル）である四角のピン接着領域を持つ。このパターンは、約１５％の接着面積を持つことになる。更に別の共通のパターンに約１６．９％の接着面積を持つＣスターパターンがある。Ｃスターパターンは、横方向の棒又は流星により遮られた「コーデュロイ」デザインを持つ。他の共通のパターンに、約１６％の接着面積を持つ反復してわずかにオフセットしたダイヤ形を持ったダイヤモンドパターン、及び約１９％の接着面積を持つ例えば窓のスクリーンを思わせるような名前のワイヤー織りパターンがある。典型的に接着面積割合は、布のラミネートウエブの１０％から３０％程度の間で様々に異なる。当業者に知られているように、スポット接着は、接着フィラメント及び／又は繊維によってそれぞれの層内に、それぞれの個々の層に一体性を与えるのと同様に、ラミネート層を同時に保持するものである。
【００４４】
ここで用いられる「超音波接着」は、例えば音響ホーンとアンビルロールの間に布を通過させることにより形成される方法を意味し、これはＢｏｒｎｓｌａｅｇｅｒの米国特許第４，３７４，８８８号に記載されており、その全体はすべての目的について引用によりここに組み入れられる。
【００４５】
本発明の様々な態様及び実施形態が、子供用訓練用パンツのような使い棄て吸収性物品衣類の内容について述べられる。しかしながら、本発明を他の物品、使い棄てオムツ、女性用ケアー物品（例えば、パンティライナー及びパッドなど）、大人用失禁用衣類、及び同様のものについても使用できることは容易に明らかである。典型的には、使い棄て物品は、制限された使用を意図するもので、洗濯その他で再利用のために洗浄されることが意図されているものではない。例えば、子供用訓練用パンツは、着用者によって汚損された後、廃棄される。その様々な態様において、本発明は、特に物品の側部周りにおいて、柔軟性、可撓性、適合性、きちんとした外観、ギャップの減少、漏れの減少などの望ましい物理的特性を示す、独得の吸収性物品を提供することができる。物品は、改善された柔軟性、可撓性、耐久性、適合性及び延伸可能性などの望ましい物理的特性を示す吸収体構造を含むことができる。その結果、本発明の吸収性構造及び物品は、使用中に、強度の増加、適合性の改善、漏れの減少、及び凝集の減少、ひだ又は垂れ下がりの減少をもたらす。
【００４６】
図面を参照すると、図１に、代表的に子供用訓練用パンツ１０として示される物品は、長さ方向の縦方向Ｙ（図２）、横向き横方向Ｘ、Ｚ方向を持つ本体すなわちシャーシ２０、前側２００にある前腰部領域１４、後側２１０にある後腰部領域１２、及び前及び後腰部領域と相互結合した中間股領域１６を含む。腰部領域１２及び１４は、着用した時、着用者の腰部又は胴の中間から低い部分を、全体的に又は部分的に覆う又は囲むような物品の部分を含む。特定の形態において、前腰部領域１４及び後腰部領域１２は、弾性前及び後腰バンド部分１７、１１を含むことができる。図示された実施形態においては、弾性腰バンド部分１１、１７は、物品の腰部開口２４の周囲をほぼ連続するものである。代替的実施形態においては、腰部バンド部分１１、１７は、それぞれの腰部領域にわたって部分的にのみ延びることができる。中間股領域１６は、腰部領域１４及び１２の間に位置し、腰部領域１４及び１２を相互結合し、着用した時、着用者の脚部と着用者の低い胴部の間に位置決めされる物品１０の部分を含む。このように、中間股領域１６は、着用者が直立した状態の時、訓練用パンツ又は他の使い棄て吸収性物品において、液体及び／又は排出物の反復される放出が典型的に起こる領域である。
【００４７】
図３に示されるように、物品１０は、実質的に液体不透過性外カバー部材３０、液体透過性身体側ライナー２８、及び外カバー部材３０と身体側ライナー層２８の間に挟まれた吸収体構造３２を含む。吸収体構造（吸収性層又は保持層とも言われる）は、図３に示されるように、接着剤８２により外カバー部材３０に固定され、接着剤８４により身体側ライナー２８に固定される。吸収体構造は、横向きに延びるウイング部分３２ａを含むことができ、これはシャーシの横向きに延びる耳部分５０、５２に沿って、衣類の側部に沿って延びる。このような横向きに延びるウイング部分は、図１及び図２に見られるように、中央吸収体部分１００と隣接するものとするか、又は、１１０で示されるように、中央吸収体部分とは別であるが、前記中央本体吸収性構造部分と近接するようにし、それらが中央部分の直近に接した状態に位置されて、液体が中央部分内に存在するときに、該中央部分と液体流通するようにすることができる。このような近接状態は、図１において破線１１２によって示されており、このようなウイング部分は、中央吸収体部分とは別に形成することができるが、該中央部分と隣接していることを示している。このような横向きに延びる吸収性ウイング部分３２ａは、側部シーム２６に続く連続する想像線／破線１２０によって見ることができるように、側部シーム接合部２６にまで、更に幾つかの環境においては側部シーム接合部２６にまで延びることができる。
【００４８】
ある実施形態においては、サージ処理層４８が、吸収体構造に近接して配置され、接着剤８６によって該吸収体構造に取り付けられることができる（図２及び図３）。サージ処理層４８は、物品の吸収体に迅速に導かれることができるように、液体のサージ又は放出を減速し更に放散し易くするものである。サージ処理層は、液体を吸収性構造の貯蔵部分又は保持部分に放出する前に、液体を迅速に受け入れ一時的に保持できることが望ましい。サージ層は、身体側ライナー層２８の下に位置させることができる。適したサージ処理層の例は、米国特許第５，４８６，１６６号及び米国特許第５，４９０，８４６号に記載されている。他の適したサージ処理材料は、米国特許第５，８２０，９７３号に記載されている。これらの特許のすべての開示の全体は、すべての目的について引用によりここに組み入れられる。
【００４９】
図２に示されるように、代表的物品１０が描かれた実施形態においては、シャーシ２０は、横向きに延びる前耳部分５０及び後耳部分５２を含む。示された実施形態においては、耳部分はシャーシ構造の延長であり、例えば、外カバー部材３０、身体側ライナー２８、吸収体構造、又はこれらの組み合わせの延長とすることができる。この形態は、シャーシ２０が、特に前及び後腰部領域１４、１２にわたって横方向Ｘに延伸可能な場合、特に望ましいものである。例えば、このようなシャーシは、エラストマー性カバー部材３０、エラストマー性身体側ライナー２８、及び延伸可能な一体化したシャーシにさせるような他のあらゆるエラストマー性成分の組み合わせを含むことができる。
【００５０】
前述したように、吸収体構造３２は、図１及び図２に想像線で示されるように、横向きに延びるウイング部分３２ａを含む。ウイング部分は、横向きに延びるシャーシの耳部分５０、５２に少なくとも部分的に沿った状態で延びる。又、前述したように、望ましい実施形態においては、ウイング部分３２ａは、側部シーム２６に直近に接した状態の位置へと延び、吸収体構造３２は、物品が着用される時、着用者の腰部領域を全体的に囲む。
【００５１】
訓練用パンツ１０は、前及び後耳部分５０、５２が横方向側部２９を持ち、これら耳部分は、シャーシを折り曲げた時に互いに一緒にされて、腰部開口２４及び脚部開口２２を持つパンツ構造を形成するような形状及び形態とすることができる。横方向側部２９は、図２に特定的に示されているように、シャーシ２０の股領域１６の横方向側部と共同して湾曲した脚部形状１８を定める。湾曲した脚部形状１８は、物品が組み立てられる時、脚部開口２２を定める。横方向側部２９は、周知の方法で接着されて、パンツ構造の側部シーム２６を形成する。この型の形態では、パンツ１０は着用者が、下着と同様の方法で引き上げる。望ましくは、１つの実施形態においては、これらのシーム２６は分離可能又は引き裂き可能とすることができ、パンツ１０が、オムツと同様の方法でシーム２６を引き裂き更に物品を除去することにより、着用者から取り外すことができる。代替的実施形態においては、前及び後耳部分５０、５２は、側部シーム２６において分離可能であり、かつ、再取り付け可能（再締結可能）とすることができる。フック・ループ型システム、又は再締結可能なテープシステムなどの締結システムが、パンツ構造を形成し、着用者上に物品を保持するために、第一腰部領域１２を第二腰部領域１４に相互結合するのに使用することができる。他の適した剥離可能な締結システムは、米国特許第６，２３１，５５７号Ｂ１及び国際特許出願ＷＯ００／３５３９５に記載されており、これらの言及全体はすべての目的について引用によりここに組み入れられる。
【００５２】
物品１０は又、身体側ライナー２８上に配置される、縦方向に延びる漏れガード５８（当技術では「収容フラップ」として知られている）を組み込むことができる。ガード５８は、縦方向端部１３、１５で全体をシャーシ２０に取り付けられる縦方向端部６４を持つ。例えば、ガード５８は腰バンド部分１１、１７上に延びることができ、例えば超音波接着によって該腰バンド部分に取り付けることができる。ガード５８は、外側横方向側部６２を持ち、これはシャーシに取り付けられることが望ましいが、下側にある吸収体構造３２の外側にあることは必ずしも必要ではない。外側側部６２は、特定の実施形態において、ガード５８が吸収体構造のウイング部分３２ａを超えて横向きに延びるような、前及び後耳部分５０、５２にほぼ対応した形状及び型を持つ。例えば、外側横方向側部６２は、シャーシ２０の横方向側部２９とほぼ同一の広がりとすることができ、側部シーム２６と接着されている。図３を参照すると、外側横方向側部６２は、例えば、ほぼ連続した超音波接着線６３によって、股領域１６及び耳部分５０、５２の形状付けられた側部に沿って取り付けられることができる。超音波接着の代わりに又は超音波接着と組み合わせて、接着剤のビード又はスプレーを使用することができる。加えて、高圧の下で層を共に融着することにより形成することができる圧力接着を、接着剤又は音波接着の代わりに又はそれらと組み合わせて使用することができる。ガード５８は、ガードが本質的に吸収性構造３２の横方向側部に沿って収容ポケットを定めるように、下側にある吸収体構造３２の上を更にこれを超えて延びる横向き内側「自由」側部６０を持つ。
【００５３】
広い範囲の材料が、漏れガード５８としての使用に適している。例えば、ガード５８は、スパンボンド、メルトブローン、スパンレース、又はカーデッドポリマー性材料、ポリオレフィン又はポリウレタンのようなフィルム材料、発泡体材料、又はこれらの混合物のような不織材料とすることができる。ガードは、外カバー部材３０又はライナー２８に適したものとして、ここに述べられた材料を含むことができる。ガード５８は、実質的に液体不透過性とすることができ、気体にのみ透過性とするか又は気体と液体のどちらにも透過性とすることができる。ガード５８は、実質的には液体に不透過性で、着用者に布のような感触を与える材料から形成することが一般的に望ましい。例えば、ガードは、不織／液体不透過性フィルム積層体構造を含むことができる。ガードは、望ましい程度の液体不透過性、又は湿潤可能性、及び親水性を与えるように、全体的に又は部分的に処理された織成ウエブ又は不織ウエブで形成されることができる。
【００５４】
１つの実施形態においては、ガード５８の外側又は身体側表面は、少なくとも部分的に湿潤可能な又は親水性とし、ガードと着用者の間を遮るようなどんな身体排出物も、少なくとも部分的に吸収／保持することが一般的に望ましい。ガード５８が、ほぼ非エラストマー性の材料により形成される実施形態においては、望まれるならば、ガードが取り付けられているシャーシ２０の部分と共に該ガードが延伸可能であることを確実にするための手段を講じておくことができる。例えば、ガード５８の縦方向端部に、ギャザー付けを行い、そこに弾性腰バンド部分１１、１７を取り付けて共に伸びるようにすることができる。
【００５５】
上述したように、漏れガード５８は、横方向に延伸可能なように、エラストマー性材料又はエラストマー性複合体材料により実質的に形成されることが望ましい。このようにすると、ガードが横に取り付けられるか、又はそれぞれの縦方向端部で取り付けられるかに関係なく、ガードは、物品の別の成分の望ましい延伸可能な特性を減じることはなくなる。漏れガード５８は、どんな特定の型のエラストマー性材料にも制限されるものではないが、１つの実施形態においては、耐湿性とすることが望ましく、更に着用者に布のような感触を与えることが望ましい。適した材料は、例えば、ネック付与された積層体、延伸接着した積層体、熱延伸積層体、又は耐湿性及び着用者への望ましい程度の布様感触を付与するどんな材料の組み合わせともすることができる。特に適した材料は、弾性ポリエチレンフィルムのネック付与状態で接着した積層体（ＮＢＬ）及びネック付与伸長状態でスパンボンドしたポリプロピレンである。図３に表されるように、ガード５８は、液体不透過性弾性フィルム９２及びネック付与したスパンボンドウエブ９４の積層体複合体とすることができる。材料を共に積層するために接着剤９６が使用され、代替的に又は付加的に、材料を積層するために超音波接着／溶接を使用することができる。図３に示される形式の構造を形成するために、接着剤８８を用いて弾性ストランド３６を積層工程において組み入れることができる。ネック付与したスパンボンドウエブ９４の延長部すなわち「フラップ」（別には示されていない）は、ガード５８の自由側部６０に沿って、折り曲げ、弾性フィルム９２の下側に接着剤９０で取り付けることができる。漏れガード５８の他の適した構成及び形態は、一般的に当業者によく知られており、例が米国特許第４，７０４，１１６号に記載されており、その全体はすべての目的について引用によりここに組み入れられる。
【００５６】
図２は、代表的な訓練用パンツ１０の全体を平らにした（すなわち実質的に、すべての弾性材によるギャザーを減少し、収縮を除去した状態の）平面図である。この図においては、着用者に接触するパンツ１０の身体側表面が見る人に向けられており、構造の部分は物品の内部構造がより明らかに見えるように、部分的に切り取られている。物品１０の外側縁部は、縦方向に延びる横方向側部及び横向きに延びる端部１３、１５により周囲を定める。縦方向端部１３、１５は、直線で示されているが、曲線とすることもできる。横方向側部は、前及び後耳部分５０、５２の横向き最側部２９及び股領域１６の横方向側部５４により定められる。横向き内側向きに延びる湾曲した脚部形状１８が、前と後耳部分との間にほぼ定められ、股領域１６にほぼ沿って縦方向に延びる。前述したように、パンツ構造が、前及び後耳部分５０、５２の横方向側部２９の結合により形成される場合、これらの形状１８は物品１０の脚部開口を定める。
【００５７】
当技術においてよく知られているように、脚部弾性材３４及び腰部弾性材３３のようなエラストマー性ギャザー付け部材を設けることができる。ライナー２８、外カバー３０、吸収体構造３２、サージ層４８、及び弾性部材３４及び３６を組み合わせて、よく知られた種々異なる吸収性物品形態とすることができる。
【００５８】
脚部弾性部材３４は、シャーシ２０の横向き側縁部、特定的には股領域１６の横方向側部に沿って位置させることができ、着用者の脚部に対してシャーシ２０を引き付け、かつ、保持するように形成されている。弾性部材３４は、例えば、接着剤８０により弾性的に収縮された状態でシャーシ２０に固定されており、通常の歪み状態において、弾性部材３４は、シャーシに向って効果的に収縮する。使い棄てオムツ及び訓練用パンツのような吸収性物品における弾性脚部部材の使用は、当業者に広く知られ、理解されている。
【００５９】
弾性腰バンドの使用は広く知られており、当技術にも使用されている。図１の実施形態においては、腰部弾性材３３は、前及び後腰バンド１１、１７のほぼ全体にわたって設けられている。代替的実施形態においては、腰部弾性材３３は、図２に示すように前及び後腰バンドの一部分のみにわたって延びるようにすることができる。腰部弾性材３３は、エラストマー性フィルム、弾性発泡材、多数の弾性ストランド、エラストマー性布、及び同様のものなどのあらゆる適したエラストマー性材料により形成することができる。本発明による物品１０に利用することができる腰バンド構造の実施形態は、米国特許第５，６０１，５４７号、第６，３５８，３５０号Ｂ１、第６，３３６，９２１号Ｂ１、及び第５，７１１，８３２号に記載されており、その全体はすべての目的について引用によりここに組み入れられる。
【００６０】
ライナー２８及び外カバー部材３０は、ほぼ同一の広がりを持ち、吸収体構造３２の対応する寸法より、全体的に大きく、それを超えて延びる長さ及び幅の寸法を持つことができる。延長された部分は、対応する側縁部及び端縁部を定め、使用される腰バンド１１、１７、脚部弾性材３４、及び側部シーム２６を外カバー部材３０、ライナー２８、及び漏れガード５８と共に互いに取り付けられるのを可能にする。任意的には、身体側ライナー２８及び外カバー部材３０は同一の広がりを持たないこともあり得る。外カバー部材３０は、液体透過性材料により形成することができるが、実質的に液体に不透過性であるように形成される材料を含むことが望ましい。例えば、典型的な外カバーは、薄い可塑性フィルム、複合積層体、又は他の可撓性で実質的に液体不透過性材料から製造することができる。本明細書に使用されている、「可撓性」という用語は、順応性があり、着用者の全体的形状及び形態に容易に順応するような材料を意味する。
【００６１】
外カバー部材３０の代替的構成は、織成材又は不織繊維ウエブ層を含むことができ、吸収体構造に近接した又は近い位置にある選択された領域に、望ましい程度の不透過性を与えるために、全体的に又は部分的に構成又は処理される。例えば、外カバーは、気体透過性の不織布層が気体透過性であってもなくてもよいポリマーフィルム層に積層された構成とすることができる。繊維性で布のような外カバー材料の他の例には、延伸薄肉化されるか又は熱延伸された積層体材料を含むことができる。外カバー３０は、典型的には物品の最外側層を提供するものであるが、任意的には、物品は外カバー部材に加えて別の外カバー構成部材を含むことができる。
【００６２】
特定の実施形態においては、外カバー３０は、実質的にエラストマー性材料から形成され、延伸可能とすることができる。この実施形態においては、外カバー３０は、前及び後耳部分５０、５２を含む前及び後腰部領域１４、１２全体を定めることができる。外カバー３０は、例えば、単一層、多層、積層体、スパンボンド布、フィルム、メルトブローン布、弾性ネット、多孔性ウエブ、エラストマー性又はポリマー性材料を含むボンデッドカーデッドウエブ又は発泡体により形成することができる。エラストマー性不織積層体ウエブは、１つ又はそれより多いギャザー付け可能な不織ウエブ、フィルム、又は発泡体と結合された不織材料を含むことができる。延伸接着した積層体（ＳＢＬ）及びネック付与状態で接着した積層体（ＮＢＬ）は、エラストマー性複合体の例である。適した材料の例には、スパンボンド−メルトブローン布、スパンボンド−メルトブローン−スパンボンド布、スパンボンド布、又はフィルム、発泡体、連続したフィラメントストランド又は他の不織ウエブを持つ布の積層体がある。エラストマー性材料は、キャスト又はブローンフィルム、発泡体又はポリエチレン、ポリプロピレン、又はポリオレフィンコポリマー、及びこれらの組み合わせから成るメルトブローン布を含むことができる。エラストマー性材料は、ＰＥＢＡＸエラストマー（ペンシルベニア州、フィラデルフィアに所在するＡｔｏＣｈｅｍより入手可能）、ＨＹＴＲＥＬエラストマー性ポリエステル（デラウエア州、ウイルミントンに所在するＥ．Ｉ．ＤｕＰｏｎｔ  ｄｅ  Ｎｅｍｏｕｒｓより入手可能）、ＫＲＡＴＯＮエラストマー（テキサス州、ヒューストンに所在するＫｒａｔｏｎ  Ｃｏｍｐａｎｙより入手可能）、又はＬＹＣＲＡエラストマーのストランド（デラウエア州、ウイルミントン所在のＥ．Ｉ．ＤｕＰｏｎｔ  ｄｅ  Ｎｅｍｏｕｒｓより入手可能）、又は同様のもの、及びこれらの組み合わせを含むことができる。外カバー３０は、機械工程、印刷工程、加熱工程、又は化学処理を通して得られたエラストマー性特性を持つ材料を含むことができる。例えば、このような材料は、孔形成され、クレープ加工され、ネック付与伸長され、熱活性化され、エンボス加工され、更にマイクロ変形されることができ、更にフィルム、ウエブ、及び積層体の形状とすることができる。
【００６３】
身体側ライナー２８は、しなやかで、柔軟な感触があり、更に着用者の肌に刺激を与えない身体側表面を付与する。更に身体側ライナー２８は、吸収体３２より親水性がないものとすることができ、更に液体がその厚さを通り抜けて吸収体構造にまで容易に到達するように液体透過性とするために、十分に多孔性にすることができる。適した身体側ライナー層２８は、多孔性発泡体、網状発泡体、孔形成された可塑性フィルム、天然繊維（例えば、木質パルプ又は綿繊維）、合成繊維（例えば、ポリエステル又はポリプロピレン繊維）、又は天然繊維及び合成繊維の組み合わせなどのウエブ材料から広く選択して製造することができる。身体側ライナー層２８は、典型的には、吸収体３２に保持されている液体から着用者の肌を分離させるように使用される。
【００６４】
様々な織布および不織布、更に孔形成されたフィルム、及び／又は発泡体を、身体側ライナー２８に使用することができる。例えば、身体側ライナーは、メルトブローンウエブ、スパンボンドウエブ、又は望ましい繊維から形成されるボンデッドカーデッドウエブを含むことができる。様々な布は、天然繊維、合成繊維、又はこれらの組み合わせから形成することができる。特定の態様においては、身体側ライナー２８は、ポリマー繊維、ネットワーク、積層体、液体透過性フィルム、セルロース系繊維、レーヨン、水膨潤可能なゲル、及びエラストマー性材料、更にこれらの組み合わせから形成することができる。身体側ライナーに適した材料は、合成の連続した又は別個のポリマー繊維のメルトブローンウエブ、空気堆積されたウエブ、スパンボンドウエブ、又はボンデッドカーデッドウエブ、及び／又は天然繊維、パターン接着したスパンボンドウエブ、空気堆積されたウエブ、又はボンデッドカーデッドウエブ、及びこれらの組み合わせを含むことができる。適したポリマーは、ポリプロピレン、ポリエチレン、ポリエステル、及びこれらのポリオレフィンで形成された二成分材料を含むことができる。
【００６５】
身体側ライナー布は、実質的には疎水性材料で形成することができ、疎水性材料は、界面活性剤で処理することができ、又は望ましい程度の湿潤可能性及び疎水性を与えるように処理することができる。本発明の特定の実施形態においては、身体側ライナー２８は、およそ６０％ネック付与された、不織スパンボンドポリプロピレン布とすることができる。ＫＲＡＴＯＮ  Ｇ２７６０複合体エラストマー材料のストランドを、ネック付与されたスパンボンド材料に接着することができる。布は、デラウエア州、ニューキャッスルに事務所を持つＵｎｉｑｅｍａのＩＣＩ部から入手可能な約０．４５％ＡＨＣＯＶＥＬベースＮ６２界面活性剤のような、有効的な量の界面活性剤により表面処理することができる。界面活性剤は、スプレー、印刷、ブラシ被膜などのどんな従来の方法によってでも付与することができる。
【００６６】
身体側ライナー２８が延伸可能であることが望ましい特定の実施形態においては、適当なエラストマー性材料は、弾性ストランド、ＬＹＣＲＡ（登録商標）弾性材、キャスト又はブローン成形の弾性フィルム、不織弾性ウエブ、メルトブローン又はスパンボンドエラストマー性繊維性ウエブ、及びこれらの組み合わせを含むことができる。更に、このような延伸可能なライナーは、延伸可能な二成分繊維性スパン材料を含むことができる。このような二成分スパン材料は、例えば、鞘／芯不織繊維性布とすることができる。このような繊維の芯は、Ｋｒａｔｏｎエラストマーのようなスチレン系ブロックコポリマーとすることができ、鞘は、メタロセン触媒作用により得られるポリエチレンのような、シングルサイト触媒作用により得られるポリオレフィン、又はポリプロピレンのような他のポリオレフィンとすることができる。エラストマー性材料の例は、ＫＲＡＴＯＮエラストマー、ＨＹＴＲＥＬエラストマー、ＥＳＴＡＮＥエラストマー性ポリウレタン（オハイオ州、クリーブランドに所在するＢ．Ｆ．Ｇｏｏｄｒｉｃｈ  ａｎｄ  Ｃｏｍｐａｎｙより入手可能）、又はＰＥＢＡＸエラストマーを含む。身体側ライナーは、パーフォレーション、孔形成、クレープ加工、熱活性化、エンボス加工、マイクロ変形、化学処理、又は同様のもの、更にこれらの組み合わせを備えた繊維、スクリム、ウエブ、及びフィルムの混合物又は積層体を含むことができる。
【００６７】
身体側ライナー２８と外カバー３０は、作動可能な方法で互いに連結、その他で組み合わされる。ここで用いられる「組み合わされた」という用語は、身体側ライナー２８を外カバー３０に直接貼り付けることにより、身体側ライナー２８が外カバー３０に直接結合されている形態、及び身体側ライナー２８を、外カバー３０に貼り付ける代わりに中間部材に貼り付けることにより、身体側ライナー２８が外カバー３０に間接的に結合される形態を含む。身体側ライナー２８及び外カバー３０は、例えば、接着剤接合、超音波（音波）接合、熱接着、ピン、ステッチ、又は他の当技術において知られた取り付け技術、及びこれらの組み合わせなどの適当な取り付け機構（示されていない）によって訓練用パンツ周辺の少なくとも一部分において互いに結合することができる。例えば、接着剤の均一な連続層、接着剤のパターン化した層、接着剤のスプレーパターン、又は構造用接着剤の分離した線、渦巻き又はスポットの列を、身体側ライナー２８を外カバー３０に貼り付けるために使用することができる。上記した取り付け方法は又、ここで示された物品の様々な他の成分部分を適当に共に相互結合、組み立て、及び／又は貼り付けるために使用することができる。
【００６８】
吸収体（材料）構造３２は（ウイング部分３２ａ及び任意にサージ層４８を含む）、外カバー３０と身体側ライナー２８の間に配置される。吸収体構造３２は、一般的に液体及びある種の身体排出物を吸収し保持することが可能な、圧縮可能で、順応可能で、着用者の肌に刺激がない成分のどんな構造又は組み合わせともすることができる。例えば、構造３２は、セルロース性繊維（例えば木質パルプ繊維）の吸収性ウエブ材料、他の天然繊維、合成繊維、織成又は不織シート、粗く織った布又は他の安定した構造、超吸収性材料結合材材料、界面活性剤、選択された疎水性材料、顔料、ローション、臭気制御剤、又は同様のもの、更にこれらの組み合わせを含むことができる。特定の実施形態においては、吸収性ウエブ材料は、セルロース系フラフのマトリックス及び超吸収性ヒドロゲル形成粒子とする。セルロース系フラフは、木質パルプフラフの混合物を含むことができる。フラフの好ましい形式の１つに、米国アラバマ州、チルダーズバーグのＵ．Ｓ．Ａｌｌｉａｎｃｅより入手可能な商標名ＣＲ１６５４として表示されたものがあり、これは、漂白され、最初の軟材木質繊維を含む高吸収性硫酸塩木質パルプである。吸収性材料は、様々な従来の方法及び技術を使用してウエブ構造に形成することができる。例えば、吸収性ウエブは、乾式形成技術、空気形成技術、湿式形成技術、発泡体形成技術、又は同様のもの、更にこれらの組み合わせにより形成することができる。これらの技術を実行するための方法及び装置は当業者によく知られている。更に吸収体構造はそれ自体に、Ｚ方向に多層を含むことができる。このような多層は、低い容量の吸収材料層をライナー２８の近くに配置し、高い容量の吸収材料を外カバー層３０の近くに配置するなどのように、吸収容量の違いを利用することができる。同様に、吸収体の単一層構造の別個の部分には、高い容量の吸収体を含み、又構造の他の別個の部分には、低い容量の吸収体を含むことができる。
【００６９】
一般的な法則として、超吸収性材料は、ウエブの総重量をベースにして約０から約９０重量％の量で吸収性ウエブに存在する。ウエブは、約０．１０から約０．３５グラム／立方センチメートルの範囲内の密度を持つことができる。
【００７０】
超吸収性材料は当業者によく知られており、天然、合成、及び改質天然ポリマー及び材料から選択することができる。超吸収性材料は、シリカゲルのような無機質材料、又は架橋結合されたポリマーのような有機化合物とすることができる。典型的には、超吸収性材料は、その重量の少なくとも約１０倍の液体の量を吸収することができ、更に望ましくはその重量の約２５倍より多い液体の量を吸収することができる。適当な超吸収性材料は、様々な供給元から容易に入手可能である。例えば、Ｆａｖｏｒ８８０及びＦａｖｏｒ９５４３超吸収体が、ドイツのＳｔｏｃｋｈａｕｓｅｎ  ＧｍｂＨより入手可能である。又、Ｄｒｙｔｅｃｈ２０３５が、米国ミシガン州、ミッドランドのＤｏｗ  Ｃｈｅｍｉｃａｌ  Ｃｏｍｐａｎｙから入手可能である。超吸収性材料は、吸収体／材料構造の中のある位置又は別の位置に、高い容量の吸収材料を効果的に配置するように選択することができる。例えば、吸収性材料は、中央部分又は横向きに延びるウイング部分に配置することができ、これらの部分が他の部分より大きい、少なくとも１０％、又はこれより大きい吸収容量を示すようにすることができる。
【００７１】
望ましい形状に形成されるか又は切り取られた後、吸収性ウエブ材料は、吸収性構造３２の一体性及び形状を維持するために、適当なティッシュラップによって包まれるか又は含まれることができる。
【００７２】
吸収性ウエブ材料は又、コフォーム材料とすることができる。「コフォーム材料」という用語は、一般的に、熱可塑性繊維及び第二非熱可塑性材料の混合物又は安定させたマトリックスを含む複合体材料を意味する。例として、コフォーム材料は、形成されている間に、他の材料がウエブに付加されることにより、少なくとも１つのメルトブローンダイヘッドが、シュートの近くに配置されるような方法によって形成されることができる。この種の他の材料としては、これらに制限されるものではないが、綿のような木質又は非木質パルプのような繊維性有機材料、レーヨン、再生紙、パルプフラフ、更に又、超吸収性粒子、無機質吸収性材料、処理済みポリマー性ステープル繊維及び同様のものを含むことができる。種々異なる合成ポリマーのいずれも、コフォーム材料のメルトスパン成分として利用することができる。例えば、幾つかの実施形態においては、熱可塑性ポリマーを利用することができる。利用できる適当な熱可塑性材の幾つかの例は、ポリエチレン、ポリプロピレン、ポリブチレン及び同様のものなどのポリオレフィン；ポリアミド；及びポリエステルを含む。１つの実施形態においては、熱可塑性ポリマーは、ポリプロピレンとする。このようなコフォーム材料の幾つかの例に、Ａｎｄｅｒｓｏｎ他の米国特許第４，１００，３２４号、Ｅｖｅｒｈａｒｔ他の米国特許第５，２８４，７０３号、及びＧｅｏｒｇｅｒ他の米国特許第５，３５０，６２４号に記載されており、その全体はすべての目的について引用によりここに組み入れられる。
【００７３】
本発明による吸収性物品において、吸収体構造３２の少なくとも一部分はエラストマー性とする。例えば、図１に示されるような実施形態においては、シャーシ２０全体が延伸可能であることが望ましい。吸収体構造３２は、他の成分の延伸可能性を妨げない程度に延伸可能とする。
【００７４】
この目的のために、吸収性ウエブ材料は、少なくとも最小で約２重量％の量でエラストマー性繊維を含むことができる。エラストマー性繊維の量は、改善された性能を付与するために、代替的に、少なくとも約３重量％とすることができ、更に任意に少なくとも約５重量％とすることができる。更に、エラストマー性繊維の量は、約６０重量％より大きくなるべきではない。代替的にエラストマー性繊維の量は、改善された利益を付与するために、約４５重量％より大きくなるべきではなく、更に任意には約３０重量％より大きくなるべきではない。吸収体構造の物理的特性又は液体処理特性を過度に低下させることなく、望ましい程度の延伸可能性及び構造安定性を持つ吸収性保持部分を提供することができることから、これらの値は重要である。過度に低い比率のエラストマー性繊維を持つ吸収性ウエブ材料は、十分に延伸可能ではなく、過度に高い比率のエラストマー性繊維を持つウエブ材料は、弱い取り込み、弱い分配、延伸された時の液体保持の弱さ及び／又は過度の引張力などの吸収性機能にかなりの低下を示すこととなる。
【００７５】
吸収体構造３２は、エラストマー性コフォーム吸収性ウエブ材料を含むことができる。このような材料は、例えば、米国特許第６，２３１，５５７号Ｂ１及び第６，３６２，３８９号Ｂ１に記載されており、その全体は引用によりここに組み入れられる。特定の態様においては、エラストマー性コフォーム材料は、少なくとも最小で約５０ｇ／ｍ2のコフォーム全体の基本重量を持つことができる。コフォーム基本重量は、改善された性能を付与するために、代替的に少なくとも約１００ｇ／ｍ2とすることができ、更に任意に、少なくとも約２００ｇ／ｍ2とすることができる。更に、コフォーム基本重量は、約１２００ｇ／ｍ2より大きくなるべきではない。代替的にコフォーム基本重量は，改善された利益を付与するために、約９００ｇ／ｍ2より大きくなるべきではなく、更に任意に約８００ｇ／ｍ2より大きくなるべきではない。吸収体構造の物理的特性又は液体処理機能を過度に低下させることなく、望ましい延伸可能性及び構造安定性を持つ吸収体構造を提供することができることから、これらの値は重要である。かなり低い比率のエラストマー性コフォーム材料しか持たない保持部分は，十分に延伸可能であることができない。かなり大きい量のエラストマー性コフォーム材料を持つ吸収性ウエブ材料は、取り込みの過度の低下、分配及び／又は保持特性などの吸収性機能の著しい低下を示すこととなる。
【００７６】
使用可能なエラストマー性吸収体構造の他の例は、米国特許第５，９６４，７４３号、第５，６４５，５４２号、第６，２３１，５５７号、及び第６，３６２，３８９号Ｂ１に記載されており、これらは、すべての目的について引用によりここに組み入れられる。
【００７７】
吸収体構造３２において利用される吸収性ウエブ材料は又、個々の吸収体構造が、使用しようとする物品に応じて特定の個々の総吸収性を持つように選択される。例えば、幼児用ケアー製品の場合は、総吸収性は、０．９重量％生理的食塩水について約３００−９００グラムの範囲内とすることができ、典型的には生理的食塩水約５００グラムとすることができる。大人用ケアー製品の場合は、総吸収性は、生理的食塩水約１０００−１６００グラムの範囲内とすることができ、典型的には生理的食塩水約１３００グラムとすることができる。女性用ケアー製品の場合は、総吸収性は、生理的食塩水約７−５０グラムの範囲内とすることができ、典型的には生理的食塩水約３０−４−グラムの範囲内とすることができる。
【００７８】
図４に見られるように、これは本発明の１つの実施形態によるシャーシの、図１の線Ａ−Ａの線による断面図の全体を示している。（しかしながら、簡明にするために漏れガード又はサージ層は示されていない。）吸収体構造３２の延伸吸収性材料が、側部シーム領域２６に近接した横向きに延びる側部ウイング部分３２ａまで（股領域１６を通って）訓練用パンツの中央を包む。この図は、図１の１００及び１１０のように分離してはいるが近い位置にある延伸可能な吸収性材料を示している。代替的には、吸収体は、衣類の周囲全体を囲むように延びる１つの片とすることができる。延伸吸収体は、パルプフラフ及び／又は超吸収性材料成分及び前述したような延伸材料を含むことができる。このような材料は、例えば、スチレン系ブロックコポリマーのエラストマーコフォーム複合体及び前述したような吸収体とすることができる。パンツの前及び後部分においては、例えば中央吸収体部分１００にとって、延伸は必ずしも必要ではない。したがって、これらの位置では、延伸可能な吸収性材料の代わりに、非延伸性の通常のパルプフラフ／超吸収性材料（ＳＡＭ）の組み合わせを、代替的に利用してもよい。
【００７９】
この実施形態においては、図４のＢで示された部分に見られるように、横向きに延びる側部ウイング部分３２ａの延伸吸収性材料が互いに近接して存在する時、狭いギャップによって側部シーム２６に近接した延伸吸収性材料が分離される。このような物品の使用者が、寝た状態／眠った状態で尿又は排出物をパンツに放出すると、使用者の臀部の側部に沿って更にその周囲を、およそ矢印３５で示した経路で、パンツの前／後から吸収性領域の前／後にまで移動することになる。排出物は、本質的には、放出された地点から臀部周囲の反対側にまで流出することができ、尿の場合には理想的には前から後へと流出することができる。尿又は排出物のこの流出又は移動は、吸収体の内部及び吸収体を通して、更に吸収体又は身体側ライナーを超えて更にその下部で発生することができる。これらの側部延伸吸収性領域は、延伸性だけでなく吸収性の材料も含むので、寝ているか又は横になったいずれの状態の時でも、必要に応じた吸収容量をもちながら、パンツは適合性及び着用のしやすさも与える。
【００８０】
図４の延伸の実施形態においては、延伸可能な外カバー３０及び延伸可能な吸収体構造３２とともに、前述した形式の伸長可能／延伸可能なライナー２８が含まれる。例えば，このようなライナーは、約０．２５−０．３ｏｓｙの間のポリプロピレンスパンボンドとすることができ、これは界面活性剤で処理され、更に最初の幅のおよそ５０から６０パーセントにネック付与される。ネック付与状態で接着した積層体がエラストマー性成分を含む場合、このようなネック付与された材料は、材料の機械横方向に伸長可能であり、ある状況においては収縮可能になる。
【００８１】
パンツは、前述したように完全に延伸可能な外カバーか、米国特許出願ＷＯ００３７００９に記載されているように延伸可能な側部パネルを持つ延伸可能でない外カバーのいずれかで形成することができる。どの場合でも、横向きに延びるウイング部分（吸収体構造の）の延伸可能な吸収体が、延伸可能な側部パネルと同じ領域に配置され、側部パネルの延伸機能は妨害されず、付加的吸収性機能が付与される。このような延伸可能な吸収性材料は、図に見られるように、延伸可能な外カバー及び延伸可能なライナーに覆われることができる。
【００８２】
パンツは又、超音波で接着された側部シーム２６を含むように描かれている。しかしながら、このような側部シームの代りに、前述したように再締結可能な開口とすることができることが認識されるべきである。
【００８３】
図５、図６、及び図１２は、それぞれ本発明の超音波側部シームの実施形態における側部シームを形成する代替的方法を示している。例えば、図５は、図４のＢに示される囲まれた側部シーム領域の代替的実施形態の拡大断面図である。図に見られるように、延伸可能なライナー２８は、延伸可能で吸収性の横向きに延びるウイング領域３２ａの近接する端縁部の間で、かつ、延伸可能な外カバー３０の縁部２９の間を通る。延伸可能なライナー縁部は、超音波側部シーム２６内の位置に保持される。
【００８４】
図６は、図４のＢに示される円で囲まれた側部シーム領域の別の代替的実施形態の拡大断面図である。側部シーム領域において、延伸可能なライナーは、側部シーム部分で横向きに延びるウイング材料３２ａの延伸吸収体の縁部の周りを囲み、延伸可能な外カバー３０の内側表面に位置決めされて、接着剤３７で接着される。
【００８５】
本発明の更なる代替的実施形態においては、超音波シーム及び側部パネルが水不透過性又は防水であることが望ましい。使用者の放出による液体の溢流は、横向きに延びるウイング部分３２ａ内の前と後の延伸吸収性材料の間のわずかな間隙を通って、重力により流出する可能性があるので、側部シーム領域２６が更なる防護を提供するようにすることが望ましいであろう。この点に関して、図１２は、図４のＢに示される円で囲まれた側部シーム領域の更なる代替的実施形態の拡大断面図である。図１２は、延伸可能なライナー２８の縁部、横向きに延びる延伸吸収性ウイング部分３２ａの縁部及び延伸可能な外カバー３０の縁部を表し、その全体が超音波側部シーム２６内に維持されている。図１２に見られるように、超音波接着部のごく一部分が、横向きに延びるウイング部分３２ａの延伸吸収性材料の近接した縁部を通る。これは、延伸吸収性材料の中に、上述したスチレン系ブロックコポリマーコフォーム材料のような超音波接着を保持することができる熱可塑性エラストマー性材料がある場合に達成される。熱可塑性材料は、例えば、残りのコフォーム材料（すなわちパルプフラフ）の引火温度より低い温度で流動性にならなければならない。このような実施形態においては、実際上、超音波シーム領域を通り、パンツの前から後に連続する延伸吸収性材料がある。本質的には液体は、吸収体構造３２ａの１つの横向きに延びるウイング部分から、延伸可能なライナー２８を通って、吸収体構造の横向きに延びる第二ウイング部分に移動することができる。このような配列は、寝ているか又は横になっている状態の時に、着用者の臀部の周りの湿分の吸い上げを高めるものである。延伸可能な外カバー２９、横向きに延びるウイング部分の縁部及び延伸可能なライナー材料の縁部に垂直に延びる太い黒線（超音波接着点を表す）によって図に示されているように、超音波接着部２６の一部分が、延伸可能な外カバーの縁部３０の層のみの間の或いは層を通る接着部２６ａである。超音波接着の第二部分２６ｂは、延伸可能な外カバーの縁部及び延伸可能なライナー材料の縁部の層の間の或いは層を通る接着部である。超音波接着の第三部分２６ｃは、延伸可能な外カバーの縁部、延伸可能なライナーの縁部及び延伸可能な吸収体の縁部の３つすべての間の、或いはすべてを通る接着部である。このようにして、延伸可能な吸収体に衝撃を与えない超音波接着の一部分は、パンツの外側から吸収体をシールし、又は遮断するために使用することができ、これにより（接着部及び水不透過性外カバーによって）物品のこの領域において、漏れを防ぐ湿分不透過性接着を形成することができる。
【００８６】
図７は、図１と類似してはいるが、超音波により側部シーム縁部が接着されているのではなく、臀部領域に沿って再締結可能な開口を含む、パンツシャーシの代替的実施形態の断面図である。この実施形態において、再締結可能な衣類１２９の側部に、締結システムとしてフック・ループ型締結用具１３０及び１３２が設けられている。衣類は、再締結可能な開口の各々の側部に、延伸可能な外カバー３０及び再締結可能で延伸可能な側部パネル１３４を含む。更に、吸収体構造３２ａの横向きに延びるウイング部分に、延伸吸収性材料が配置されている。物品は又、前述した実施形態におけるように、延伸可能なライナー２８を含む。しかしながら、代替的実施形態においては、吸収体又は延伸可能な吸収体の単一層を有するのではなく、吸収性材料は、２つの直に近接する層の中に存在し、高い容量の吸収材料１３６が低い容量の延伸吸収性材料の下、すなわち延伸可能な外カバー近くに位置決めされる。この実施形態において、高い容量の吸収体は、吸収体構造の中央部分の層を占め、延伸吸収体は、吸収体構造の中央部分及び吸収体構造の横向きに延びるウイング部分双方を占める。延伸可能な吸収体は、１００及び１１０のように、又は図９の実施形態に見られるように、分離した構造で形成されるのではなくむしろ、層全体にわたって連続している。高い容量の吸収材料は、それ自体が延伸機能を示すことができる。１つの特定的な実施形態においては、高い延伸性をもち低い吸収性の材料を、延伸可能なライナーの近くに配置することができ、高い容量で低い延伸吸収性材料を、延伸可能な外カバーの近くに配置することができる。図から見ることができるように、横向きに延びるウイング吸収性部分は、物品が固定され／締結される時に重なる。本質的には、再締結可能な開口を通しての漏れを防ぐために、吸収体構造（及びライナー）の横向きに伸びるウイング部分の１つが、外カバー／側部パネルの縁部の上に延びて、前及び後吸収性領域が重なる。
【００８７】
図８は、図７のＣに示される、円で囲まれた再締結可能な領域の拡大断面図である。図に見られるように、延伸可能なライナー２８は、シャーシのそれぞれの側部の延伸可能な外カバー／側部パネルに取り付けられる。しかしながら、シャーシの１つの側部（ループ側）において、ライナーは、延伸吸収性材料の周りを包み、更にライナー及び延伸吸収体の双方が、延伸可能な外カバー／側部パネルの縁部の上に被さる。この被さりは、物品が互いに締結される時に必要な、延伸吸収性で横向きに延びるウイングの縁部の重なり合いを可能にする。この実施形態においては、フック・ループ型締結システムのループ部品は、吸収体及びライナー材料のＺ方向に重なるように、横向きに延びる耳の縁部から離れた、シャーシ上の位置に位置決めされる。この重なりは、物品の前から後へと液体を移動させるために必要な液体連通を可能にする。
【００８８】
図９は、図１に類似したパンツシャーシの更なる代替的実施形態の断面図を示している。しかしながら、この図に見られるように、パンツシャーシは、延伸吸収性材料を含む２つの分離した横向きに延びるウイング部分に近接して、中央部分に高い容量の吸収材料を含む。高い容量の吸収成分１３６は、シャーシの中央部分（図１の１００のように）を占め、横向きに延びるウイング部分１３７は、側部の周りを包む（図１の１１０のように）。横向きに延びるウイング側部の延伸吸収性材料は、高い容量の吸収材料に近接しており（横向きに）、高い容量の吸収材料１３８と近接していることにより液体連通を形成し、更にその縁部は、高い容量の吸収材料の横向き縁部１４０により、Ｚ方向に部分的に包み込むか又は重なる。
【００８９】
飽和容量は、マグナヘル真空ゲージ及びラテックスダムを用いる飽和容量（ＳＡＴ  ＣＡＰ）テスターを使用して求めることができる。図１３−１５を参照すると、飽和容量テスターの真空装置３１０は、４つの脚部部材３１４に支持された真空室３１２を含む。真空室３１２は、前側壁部材３１６、後側壁部材３１８及び２つの側部壁３２０及び３２１を含む。壁部材は、約０．５インチの厚さで、外側寸法の長さが２３．５インチ、幅が１４インチ及び深さが８インチである室を形成するように構成及び配列される。真空ポンプ（示されていない）が、適切な真空ライン導管と真空バルブ３２４を介して真空室３１２に作動関係で接続される。更に、適当な空気ブリードラインが、空気ブリードバルブ３２６を介して真空室３１２に接続される。ハンガー組立体３２８が、後側壁３１８に適切に取り付けられ、ラテックスダムシート３３０を支持するのに便利な設置場所を提供するために、真空装置３１０の上部から離れた便利な位置にＳ字曲線端部を形成する。適当なハンガー組立体は、直径０．２５インチのステンレススチールロッドから構成することができる。ラテックスシート３３０は、把持を促進し、ラテックスシートの便利な動きと位置決めを可能にするようにドエル部材３３２の周りでループにされる。図示された位置においては、ドエル部材３３２は、真空室３１２の上部から離れた自由な位置にラテックスシート３３０を位置決めするために、ハンガー組立体３２８に支持された状態で示されている。ラテックスシート３３０の底縁部は、トグルクランプ３４０のような適当な固定手段で、後側縁部支持部材３３４に固定されている。トグルクランプは、適当なスペーサー３４１を介して後側壁部材３１８に取り付けられ、このスペーサーは、望まれる作動に対しトグルクランプを適切に方向づけ、配列する。３つの支持シャフト３４２は、直径が０．７５インチであり、支持ブラケット３４４によって真空室３１２の中に移動可能な状態で取り付けられる。支持ブラケットは、前側壁部材３１６と後側壁部材３１８に沿って、ほぼ等しい間隔を持ち、対で作動するように配列されている。更に、支持ブラケットは、真空室３１２の前側、後側及び側部壁部材の上部と同じ高さを持つ支持シャフト３４２の最上部に、適切に位置決めされるように、形成及び配列される。このように、支持シャフト３４２は、互いが実質的に平行に位置決めされ、側部壁部材３２０及び３２１と共に全体的に整列される。後側縁部支持部材３３４に加えて、テスター装置は前側支持部材３３６更に２つの側部支持部材３３８及び３３９を含む。各々の縁部支持部材は、幅が約１インチで高さが約１．２５インチである。支持部材の長さは、真空部屋３１２の開口上部縁部の周囲を適当に囲むように形成され、部屋壁部材の上部縁部の上方に約０．５インチの長さだけ突き出るように位置決めされる。卵箱型材料３４６の層が、支持シャフト３４２の上部及び真空部屋３１２の壁部材の上部縁部に位置決めされる。卵箱材料は、縦２３．５インチ、横１４インチの、ほぼ矩形の領域を越えて延び、深さが約０．３８インチである。卵箱構造の個々の室は、約０．５インチの正方形で、卵箱に含まれる薄いシート材料は、ポリスチレ���のような適当な材料で形成される。例えば、卵箱材料は、半透明拡散パネルであるＭｃＭａｓｔｅｒ  Ｓｕｐｐｌｙ  Ｃａｔａｌｏｇ番号１６２  ４Ｋ  １４とすることができる。縦２３．５インチ、横１４インチの０．１９メッシュナイロンスクリーニングの層３４８が、卵箱材料３４６の上部に配置される。適当なドレインライン及びドレインバルブ３５０が、真空室から液体を排出するのに便利な機構を付与するために、真空室３１２の底部プレート部材３１９と結合する。テスター３１０の様々な壁部材及び支持部材は、ポリカーボネートプラスチックのような適当な非腐食性の、耐湿分材料により形成することができる。様々な組立体の結合部は、溶媒溶接により固定することができ、テスターの最終組立体は、防水性をもつように構成されている。真空ゲージ３５２は、導管により真空室３１２と有効的に結合される。適当な圧力ゲージは、Ｄｗｙｅｒ  Ｉｎｓｔｒｕｍｅｎｔ  Ｉｎｃｏｒｐｏｒａｔｅｄから入手可能なＮｏ．２１００ゲージのような、水柱０−１００インチの真空を計測することができるマグナヘル差圧ゲージである。
【００９０】
使用においては、吸収体構造の試料が計量され、余剰量の０．９％生理食塩水溶液の中に置かれ、２０分間液浸される。２０分間液浸された後、吸収体構造は、飽和容量テスターの卵箱材料及びメッシュナイロンスクリーニング上に置かれる。ラテックスシートが吸収体構造及び卵箱格子全体の上におかれ、テスターが真空吸引される時に該シートがシールを形成するようにされる。飽和容量テスター内において、０．５ポンド／平方インチ（ｐｓｉ）の真空が５分間保持される。真空が吸収体構造に圧力を作用させ、液体の排出をもたらす。０．５ｐｓｉの真空で５分経過した後、ラテックスシートは巻き戻され、吸収体構造は湿潤時重量を測定するために計量される。各々の吸収体構造の全体容量は、この手順において、吸収体のこの時点での湿潤時重量から各々の吸収体の乾燥時重量を減じることによって求められる。吸収体構造の０．５ｐｓｉＳＡＴ  ＣＡＰ又はＳＡＴ  ＣＡＰは次の計算によって求められる：（湿潤時重量−乾燥時重量）／（乾燥時重量）。ＳＡＴ  ＣＡＰ値は、液体グラム／吸収体グラムの単位を有する。全吸収容量及びＳＡＴ  ＣＡＰの両方について、各々の試料に対し最低でも４つの試料をテストし、結果を平均すべきである。吸収体構造が、液浸又は移動手順の間に、一体性が低くなるか又は分解するような場合、吸収体構造は、例えばウイスコンシン州、ニーナのＫｉｍｂｅｒｌｙ−Ｃｌａｒｋ  Ｃｏｒｐｏｒａｔｉｏｎにより製造されるＨＩ−ＤＲＩ（登録商標）ペーパータオルのような、紙タオルなどの収容材料により包むことができる。吸収体構造は、その位置で包まれた状態でテストすることができ、上包みの容量は別途求められ、その容量は、湿潤時吸収体重量を得るために、包まれた状態の吸収体構造全体の湿潤時重量から差し引かれる。
【００９１】
図１０は、同様に、図９に類似したパンツシャーシの代替的実施形態の断面図である。しかしながら、別個の横向きに延びるウイング部分延伸吸収性材料を使用するのではなく、「ブリッジ」状吸収性材料１４２が使用される。このような「ブリッジ」状吸収性材料１４２は、吸収体構造１３６の中央部分の１つの部分からもう１つの部分を架橋するように設計されており、着用者が横になったりまたは寝た状態にいる時、液体排出物が吸収体構造の１つの側からもう一方へ流れることができる。このような「ブリッジ」状構造１４２は、吸収性材料のみによって形成することができ、この材料は、幾分かギャザー寄せされた状態で延伸可能なシャーシに締結され、物品の延伸機能全体を妨げず、或いは代替的には延伸可能で吸収性とすることができる。このような材料は、多量の湿分を保持するものではないが、未使用の余剰吸収容量のある吸収体構造の部分に湿分を移動させるように機能するものであることが望ましい。
【００９２】
「ブリッジ」状材料１４２が、ほぼ非エラストマー性の材料で形成される実施形態においては、「ブリッジ」状材料１４２は、これらが取り付けられているシャーシ１３４の部分では延伸可能になることを確実にする手段が講じられる。たとえば、「ブリッジ」状材料１４２は、延伸可能なライナー２８又は外カバー／側部パネル（それぞれ３０及び１３４）に取り付けられた部分で共に延伸するように（ギャザーがなくなる範囲まで）、ギャザー寄せされることができる。
【００９３】
例として、図１０に見られるように、「ブリッジ」状材料は、延伸可能なライナー２８及び延伸可能な外カバー／側部パネル１３４の両方に取り付けられる。「ブリッジ」状材料（吸収体構造３２の本質的に分離した横向きに延びるウイング部分３２ａ）は、例えばＺ方向に（物品に向かって）吸収体構造の中央部分と重なる。更に、本発明の前述した実施形態におけるように、「ブリッジ」状材料は、物品が着用され、着用者によって締結され閉じられた時、１５５のように互いに重なる形態で、Ｚ方向にシャーシに沿って位置決めされる。このような構成において、使用者が横になったりまたは寝た状態で吸収性物品を着用している時、液体は、液体透過性ライナー層２８を通って、吸収体構造の中央部分から「ブリッジ」状材料まで容易に移動することができる。液体は、「ブリッジ」状材料からライナー２８を介して、使用者の臀部の周囲を吸収体構造の中央部分のもう一方の側部まで移動することができる。使用者が横向きに寝ているか又は横になる時に発生するであろう余分な湿分を受け取るために、吸収体構造のもう一方の側部における付加的な液体貯蔵容量が利用可能になる。
【００９４】
図１１は、図１０のＤで示される側部領域部分の拡大断面図である。この図に見られるように、「ブリッジ」状材料１４２は、吸収体構造の中央吸収性部分１３６と重なる。各々の「ブリッジ」状材料１４２は、付加的にＺ方向に互いに重なる。延伸可能なコフォーム材料又は延伸可能なサージ処理層材料のような「ブリッジ」状材料が、接着剤１４４を介して延伸可能なライナー２８に取り付けられる。代替的には、超音波接着又は圧力接着で取り付けられることができる。延伸可能なライナー２８は、それ自体を、接着剤１４６を介して延伸可能な外カバー／側部パネル１３４に接着することができる。同様に、「ブリッジ」状材料１４２は、接着剤１４８を介して延伸可能な外カバー／側部パネル１３４に接着することができる。衣類が締結され、使用者によって着用される時、「ブリッジ」状材料が重なるようにするために、「ブリッジ」状材料の一部分は、物品シャーシの横向き最縁部１５７の上に延びている１５８。しかしながら、このような重なりは、使用される締結システムのそれぞれの配置に応じて、「ブリッジ」状材料によって又は「ブリッジ」材料で形成されることを認識されるべきである。この特定の形態の図は、いかなる形ででも限定的なものを意図するものではない。図１１の図示された配列において、フック・ループ型締結システムのループ部品は、物品が締結され閉じられた時、外カバー／側部パネルと「ブリッジ」状材料双方の一部分が、Ｚ方向に、近接した（耳部分の）外カバーと重なるように、シャーシの耳部分の横向き最縁部から離れた位置に、外カバー／側部パネルに沿って位置付けされる。このようにし、液体不透過性外カバーにより液体バリアが形成される。
【００９５】
前述した構造部品の材料は、種々異ならせることができるが、例えばこれより前に述べたものとすることもできることを認識するべきである。例えば、「ブリッジ」状サージ材料の場合、その材料は、フィルムエラストマー性成分又は連続したフィラメントストランドエラストマー性成分を含む延伸接着した積層体などのスチレン系ブロックコポリマーを含むエラストマー性材料とすることができる。このような材料は、１つの又は２つの通気式ボンデッドカーデッドウエブの間に近接して、延伸された状態で取り付けられ、次に収縮されるようにすることができる。延伸接着した積層体におけるような、このような収縮は、１つ又は２つの外側表面層のいずれかをギャザー寄せするものである。ギャザー寄せされた材料は、延伸可能性機能（ギャザー寄せを開いた状態まで）更に同様に吸収性／吸い上げ機能を付与するものである。
【００９６】
表面材は、例えば、望ましくは約０．３と０．８ｏｓｙの間の基本重量を持つどんな不織材料ともすることができる。述べたような延伸接着した積層体材料の場合、１つの表面材が使用される時、このような表面材がエラストマー性成分にではなく、着用者の身体に接触するように位置されることが望ましい。このようにして、使用者の肌への刺激又は「赤い斑」の可能性が減少される。エラストマー性成分は、例えばＫＲＡＴＯＮスチレン系ブロックコポリマーとすることができ、１インチ当たり約４から約１６ストランドで約５から２０ｇｓｍの基本重量で押し出されたものとすることができる。より望ましくは、このようなエラストマー性成分は、１インチ当たり約８−１０ストランドで約８−１２ｇｓｍの基本重量で押し出すことができる。この説明は、例示のためだけを意味しており、他のエラストマー性成分も同様に使用することができる。例えば、ＬＹＣＲＡ又は同様のもの、ポリマー性ストランドなどの、予め製造されたエラストマー性ストランドを使用することができる。
【００９７】
「ブリッジ」状材料は、身体滲出液を、吸収性物品の後側に収められた高い吸収能力を持つ材料のある下方に向いた下向きの流れを促進し制御するように設計されている。吸い上げ「ブリッジ」状材料は、臀部周囲の湿分を吸い上げるために利用される。理論に縛られることを意図するものではないが、放出の間、溢れた自由液体（これは吸収性物品の前側部上で吸収されない）のいずれも、表面を超えて流出し、吸い上げ「ブリッジ」状材料を通して後側の吸収性材料に吸い上げられるであろうと考えられる。このようにして、吸収体構造は、多くの製品の放出を取り扱うように形成される。
【実施例】
【００９８】
上述したような周囲を囲む延伸吸収性物品の仮定的例が以下に示されている。この例は、連続ウエブ法で形成される場合、図２に示されたＹ方向に沿って配列される物品を呈する。言い換えると、連続ウエブで１つのパンツの前部が、先にあるパンツの後部に続くような、又はその反対も同様である工程を用いる。パンツがＸ方向に、ウエブにおいて横並列で配列される工程、又は連続したウエブにおいて、前から後への部品の配列と横から横への部品の配列を組み合わせた混成工程で物品が形成される場合、この特定の例において述べられた明細書では調整が必要とされる。これらの調整は、当業者によく知られているものである。
【００９９】
吸収性物品シャーシは、ペンシルベニア州、フィラデルフィアのＡｔｏｆｉｎａ  Ｃｈｅｍｉｃａｌ  ＣｏｍｐａｎｙからＰＥＢＡＸという商品名により入手可能なポリエーテルブロックアミドのような通気性エラストマー性フィルムをポリプロピレンスパンボンドの２つの表面層の間に積層した延伸可能な外カバーを含むことができる。
【０１００】
例示的積層体は、約０．３から約０．８ｏｓｙで、約４０から８０パーセントの間（およそ６０パーセント）にネック付与され、約２０から７０パーセントの間、例えばおよそ４０パーセントのクレープ加工がなされたスパンボンド層を含む。このようなクレープ加工法は米国特許第３，８１０，２８０号に記載されており、その全体は引用によりここに組み入れられる。延伸可能なライナーは、例えば、約７から２０ｇｓｍの間の基本重量を持つ孔あきエラストマー性フィルム、又は約１−２ｏｓｙの間の基本重量を持つネック付与され更にクレープ加工されたポリプロピレンスパンボンド不織ウエブを含むことができる。このようなウエブは、約４０から７０パーセントの間で、望ましくは約６０パーセントにネック付与され、同様に約２０から７０パーセントの間、望ましくは約４０パーセントのクレープ加工を施すことができる。このようなライナーは更に、デラウエア州、ニューキャッスルに事業所を持つＵｎｉｑｕｍａのＣＩＣ部から入手可能な、０．４−０．７％ＡＣＨＯＶＥＬ  Ｂａｓｅ  Ｎ６２界面活性剤で処理するといった方法で、湿潤可能性を改善するための界面活性剤処理を行なうことができる。
【０１０１】
このような物品の延伸可能な吸収性成分（中央吸収性部分及び横向きに延びるウイング部分を含む吸収体構造全体）は、テキサス州ヒューストンのＫｒａｔｏｎ  Ｐｏｌｙｍｅｒｓから入手可能なＫｒａｔｏｎ  Ｇ２７４０スチレン系ブロックコポリマー化合物のコフォーム、フロリダ州フェルナンディナビーチのＲａｙｏｎｉｅｒ  Ｉｎｃ．より入手可能なＳｕｌｆａｔａｔｅ  ＨＪＰｕｌｐ、及びノースカロライナ州グリーンズボロに事業所を持つＳｔｏｃｋｈａｕｓｅｎより得られるＦＡＶＯＲ  ＳＸＭ８８０粒子を、およそ１０／３０／６０パーセントの重量比で含む、延伸コフォーム吸収体により形成することができる。このような材料は、約１００から８００ｇｓｍの基本重量、望ましくは約３００ｇｓｍの基本重量を持ち、高密度化されていないものであることが望ましい。更に、望まれるならば、このような吸収性物品は、約２５から約１２５ｇｓｍの間の基本重量を、望ましくは約８５ｇｓｍの基本重量を持つ前述したサージ層のような単一層サージ材料を含むことができる。このようなサージ層は、例えば、通気式ボンデッドカーデッドウエブとすることができる。このような物品は同様に、収容フラップ、延伸接着した積層体材料のエラストマー性腰部バンド及び脚部バンドを含むことができる。
【０１０２】
上記した材料の各々は、公知の材料製造方法によって形成し、公知の製造方法によって吸収性物品に構成することができる。
【０１０３】
したがって、要約すると、本発明の望ましい吸収性物品のシャーシにおいて、特に横向き又は横方向Ｘにおいて、ライナー及び外カバー部材３０が延伸可能であり、吸収体構造３２の少なくとも一部が延伸可能であり、衣類の臀部領域の周囲に位置決めされた部分を含む。例えば、外カバー部材３０は、実質的にエラストマー性材料により形成することができ、更に吸収体構造はエラストマー性吸収性材料を含むことができる。
【０１０４】
ここに説明された本発明の実施形態は、ここでの説明を読んだ後の当業者に示唆を与えるものであり、この実施形態に対する様々な他の実施形態、修正、及び均等手段について本発明の範囲及び思想から外れることのない方策を講じることができるものと理解すべきである。
【図面の簡単な説明】
【０１０５】
【図１】代表的吸収性物品、この場合は子供用訓練用パンツの前側斜視図である。
【図２】図１の吸収性物品シャーシを平坦な状態（物品と通常エラストマー性成分で連結されたギャザー付けのない）の単純化した平面図（身体側）である。
【図３】図２のシャーシを、図２で示された３−３の線に沿って切り取った断面分解図（Ｚ方向の）である。
【図４】本発明の代表的物品である、図１に類似したパンツシャーシのＡ−Ａ（図１による）の線に沿った断面図である。
【図５】図４のＢで示される円で囲まれた側部シーム領域の代替的実施形態の拡大断面図である。
【図６】図４のＢで示される円で囲まれた側部シーム領域の代替的実施形態の拡大断面図である。
【図７】図１のパンツシャーシに類似した代替的実施形態の断面図である。
【図８】図７のＣで示される囲まれた側部シーム領域の拡大断面図である。
【図９】図７のパンツシャーシと類似した代替的実施形態の断面図である。
【図１０】同様に、図７のパンツシャーシと類似した代替的実施形態の断面図である。
【図１１】図１０のＤで示される囲まれた側部領域の拡大断面図である。
【図１２】図４のＢで示される囲まれた側部シーム領域の拡大断面図である。
【図１３】飽和容量テスター真空装置の図である。
【図１４】飽和容量テスター真空装置の図である。
【図１５】飽和容量テスター真空装置の図である。
【符号の説明】
【０１０６】
１０  訓練用パンツ
１２  後側腰部領域
１４  前側腰部領域
２０  シャーシ
２８  身体側ライナー
３０  外カバー
３２  ウイング部分
５８  ガード
１００  中央吸収部分
１４２  「ブリッジ」状材料
３１０  飽和容量テスター真空装置
３１２  真空室
３２８  ハンガー組立体
３３０  ラテックスシート
３３８  支持部材
３４２  支持シャフト
３４４  支持ブラケット
３４６  卵箱型材料
【図１】
2006512135.tif 000003
【図２】
2006512135.tif 000004
【図３】
2006512135.tif 000005
【図４】
2006512135.tif 000006
【図５】
2006512135.tif 000007
【図６】
2006512135.tif 000008
【図７】
2006512135.tif 000009
【図８】
2006512135.tif 000010
【図９】
2006512135.tif 000011
【図１０】
2006512135.tif 000012
【図１１】
2006512135.tif 000013
【図１２】
2006512135.tif 000014
【図１３】
2006512135.tif 000015
【図１４】
2006512135.tif 000016
【図１５】
2006512135.tif 000017
【国際調査報告】
2006512135.tif 000018
2006512135.tif 000019
2006512135.tif 000020
2006512135.tif 000021